(57)【要約】  本出願は、色相剤として使用するためのチオフェンアゾカルボキシレート色素、色相剤としての役割を果たすことができるこのような色素を含む洗濯用ケア組成物、このような色素ならびに洗濯用ケア組成物を作製する方法、およびこれらを使用する方法に関する。上述の色素は、形式上帯電した部分を含有し、少なくとも２種の成分（少なくとも１種の発色団成分および少なくとも１種のポリマー成分）から一般になる。適切な発色団成分は一般に、紫外線光に曝露されたときに、青色、赤色、青紫色もしくは紫色の蛍光を発し、またはこれらは光を吸収して、これらの同じ色合いを反射することができる。このような色素は、時が経つにつれて蓄積せず、処理された布帛に対して望ましくない青色の変色をもたらさない一方で、布帛に対して色相効果、例えば、増白効果を提供することにおいて有利である。このような色素はまた一般に、洗濯ケア組成物において使用される漂白剤に対して安定である。【特許請求の範囲】
【請求項１】
カルボン酸部分を含有するチオフェンアゾカルボキシレート色素を含む組成物（ただし、前記チオフェンアゾカルボキシレート色素は、下記の構造を有さない）。
【化１】
2015500888.tif 000099
【請求項２】
請求項１に記載の組成物であって、前記チオフェンアゾカルボキシレート色素が、メタノール溶液中で約４００ｎｍ〜約７５０ｎｍの波長範囲において、約１０００リットル／ｍｏｌ／ｃｍを超える最大吸光係数を有する組成物。
【請求項３】
請求項２に記載の組成物であって、前記チオフェンアゾカルボキシレート色素が、約５４０ｎｍ〜約６３０ｎｍの波長範囲において、約２０，０００〜約１００，０００リットル／ｍｏｌ／ｃｍの最大吸光係数を有する組成物。
【請求項４】
請求項３に記載の組成物であって、前記チオフェンアゾカルボキシレート色素が、約５６０ｎｍ〜約６１０ｎｍの波長範囲において、約２０，０００〜約６５，０００リットル／ｍｏｌ／ｃｍの最大吸光係数を有する組成物。
【請求項５】
請求項１に記載の組成物であって、前記チオフェンアゾカルボキシレート色素が、２３２ダルトンより大きな、約２３３ダルトン〜約５０００ダルトン、約３６５ダルトン〜約２５００ダルトン、またはさらには約４２３ダルトン〜約１０００ダルトンの分子量を有する組成物。
【請求項６】
請求項１に記載の組成物であって、前記チオフェンアゾカルボキシレート色素が、一般式（Ｉ）によって表される組成物。
【化２】
2015500888.tif 000100
式中、
ａ）Ｒ1、Ｒ2およびＲ3は、それぞれ独立に、水素、電子吸引性部分、および電子供与性部分から選択され、ただし、Ｒ1、Ｒ2およびＲ3の少なくとも１つは、電子吸引性部分であり、そして
ｂ）Ｘは、約１０４ダルトン〜約４８７１ダルトン、約２３６ダルトン〜約２３７１ダルトン、約２９４ダルトン〜約８７１ダルトンの分子量を有する有機部分である。
【請求項７】
請求項６に記載の組成物であって、前記チオフェンアゾカルボキシレート色素について、Ｒ1、Ｒ2およびＲ3のそれぞれが、水素、（Ｃ1〜Ｃ4）−アルキル、（Ｃ3〜Ｃ10）−アリール、カルボキシレート、シアノ、スルホネート、ホスホネート、スルフェート、アセテート、ニトロ、（Ｃ1〜Ｃ4）−アルキルエステル、ハロゲンまたはアミノ部分から独立に選択される組成物。
【請求項８】
請求項６に記載の組成物であって、前記チオフェンアゾカルボキシレート色素について、Ｘが下記式（II）を有する部分である組成物。
【化３】
2015500888.tif 000101
式中、
ｉ）Ｒ4は、下記式（III）を有する部分から選択され、
【化４】
2015500888.tif 000102
式中、
各Ｒ8は、水素、ヒドロキシにより任意に置換されていてもよいＣ1〜Ｃ8アルキル、またはアセチルから独立に選択され、
ｍは、０〜１０の整数であり、
Ｙは、−ＯＣ（Ｏ）ＧＣＯ2Ｍ（Ｍは、Ｈまたは電荷のバランスをとるカチオンであり、Ｇは、式IVを有する置換または無置換のコハク酸、マレイン酸、グルタル酸、アジピン酸またはフタル酸の無水物に由来する有機基である）であり、
【化５】
2015500888.tif 000103
前記無水物は、約３５３ダルトン未満、約９８ダルトン〜３５２ダルトン、またはさらには約１００ダルトン〜約３２５ダルトンの分子量を有する；
ii）Ｒ4は、下記式（Ｖ）を有する部分から選択され、
【化６】
2015500888.tif 000104
式中、
各Ｒ11およびＲ12は、水素、Ｃ1〜Ｃ8アルキル、アリール、アセチルまたはヒドロキシル部分から独立に選択され、ｍおよびｎは、独立しており、０から１０までの整数であり、
Ｙは、−ＯＣ（Ｏ）ＧＣＯ2Ｍ（Ｍは、Ｈまたは電荷のバランスをとるカチオンであり、Ｇは、式VIを有する置換または無置換のコハク酸、マレイン酸、グルタル酸、アジピン酸またはフタル酸の無水物に由来する有機基である）であり、
【化７】
2015500888.tif 000105
前記無水物は、約３５３ダルトン未満、約９８ダルトン〜３５２ダルトン、またはさらには約１００ダルトン〜約３２５ダルトンの分子量を有する；または
iii）Ｒ4は、下記式（VII）を有する部分から選択され、
【化８】
2015500888.tif 000106
式中、
Ｒ13は、Ｃ6〜Ｃ10アリール部分、Ｃ7〜Ｃ12アリールアルキル部分、Ｃ1〜Ｃ18アルキル部分、またはシロキサン部分から選択され、
各Ｒ14は、水素、Ｃ1〜Ｃ4アルキルから独立に選択され、ｍは、０〜１０の整数であり、
Ｙは、−ＯＣ（Ｏ）ＧＣＯ2Ｍ（Ｍは、Ｈまたは電荷のバランスをとるカチオンであり、Ｇは、式VIIIを有する置換または無置換のコハク酸、マレイン酸、グルタル酸、アジピン酸またはフタル酸の無水物に由来する有機基である）であり、
【化９】
2015500888.tif 000107
前記無水物は、約３５３ダルトン未満、約９８ダルトン〜３５２ダルトン、またはさらには約１００ダルトン〜約３２５ダルトンの分子量を有し、
Ｒ5は、独立に選択された上記定義のＲ4部分であり、あるいはＲ5は、Ｃ1〜Ｃ12アルキル部分、Ｃ2〜Ｃ12エーテル部分；Ｃ6〜Ｃ10アリール部分またはＣ7〜Ｃ12アリールアルキル部分から選択され；指数ａは、０〜４の整数であり、各Ｒ6は、Ｃ1〜Ｃ6アルキル、Ｃ1〜Ｃ4アルコキシ、ニトロ、ヒドロキシル、ハロゲン、または−ＮＨＣ（Ｏ）Ｒ22（ここで、Ｒ22は、Ｈ、−ＮＨ2、Ｃ1〜Ｃ6アルキル、フェニル、−（ＣＨ2）sＯＲ23から選択され、指数ｓは、１または２であり、Ｒ23は、Ｍｅ、フェニル、および−ＣＯ2ＣＨ2ＣＮから選択される）；−ＮＨＳＯ2Ｒ24（ここで、Ｒ24は、Ｃ1〜Ｃ4アルキルまたはフェニルである）から独立に選択してもよく；前記アルキル、アルコキシおよびアセトアミド部分は、カルボキシレート部分により任意に置換されていてもよい；
あるいは、Ｘは、上記式IIを有する部分であり、
式中、Ｒ4およびＲ5のそれぞれは、以下から独立に選択することができ、
ａ）［（ＣＨ2ＣＲ’ＨＯ）x（ＣＨ2ＣＲ”ＨＯ）yＲ15］；
ｂ）Ｃ1〜Ｃ12アルキル、Ｃ6〜Ｃ10アリールまたはＣ7〜Ｃ12アリールアルキル；
ｃ）［ＣＨ2ＣＨ（ＯＲ16）ＣＨ2ＯＲ17］；
ｄ）スチレンオキシド、グリシジルメチルエーテル、イソブチルグリシジルエーテル、イソプロピルグリシジルエーテル、ｔ−ブチルグリシジルエーテル、２−エチルヘキシルグリシジルエーテル、およびグリシジルヘキサデシルエーテルのアミノ添加生成物、その後、１〜１０個のアルキレンオキシド単位の添加（少なくとも１個のこのようなアルキレンオキシド単位は、−ＨではないＲ15により置換されている）；
ここで、Ｒ’は、Ｈ、ＣＨ3、ＣＨ2Ｏ（ＣＨ2ＣＨ2Ｏ）zＲ15、およびこれらの混合物からなる群から選択され、Ｒ”は、Ｈ、ＣＨ2Ｏ（ＣＨ2ＣＨ2Ｏ）zＲ15、およびこれらの混合物からなる群から選択され、ｘ＋ｙ≦２０であり、ｙ≧１であり、ｚ＝０〜１０であり、各Ｒ15は、−ＨおよびＹ（Ｙは、−ＯＣ（Ｏ）ＧＣＯ2Ｍ（Ｍは、Ｈまたは電荷のバランスをとるカチオンであり、Ｇは、式IXを有する置換または無置換のコハク酸、マレイン酸、グルタル酸、アジピン酸またはフタル酸の無水物に由来する有機基である））から独立に選択され、
【化１０】
2015500888.tif 000108
（前記無水物は、約３５３ダルトン未満、約９８ダルトン〜３５２ダルトン、またはさらには約１００ダルトン〜約３２５ダルトンの分子量を有する）
Ｒ16は、Ｈ、（ＣＨ2ＣＨ2Ｏ）zＲ15（ｚ＝０〜１０である）、およびこれらの混合物からなる群から選択され、Ｒ17は、Ｃ1〜Ｃ16アルキル、Ｃ6〜Ｃ10アリール基、およびこれらの混合物からなる群から選択され、指数ｍは、０〜４の整数であり、各Ｒ6は上記定義の通りであり、さらにただし、分子は、少なくとも１個の−ＨではないＲ15基を含む。
【請求項９】
請求項８に記載の組成物であって、前記チオフェンアゾカルボキシレート色素について、Ｘが、下記式（II）を有する部分である組成物。
【化１１】
2015500888.tif 000109
式中、
ｉ）Ｒ4は、下記式（III）を有する部分から選択され、
【化１２】
2015500888.tif 000110
式中、
Ｒ8は、水素、Ｃ1〜Ｃ4アルキル部分またはＣ6〜Ｃ10アリール部分であり、
Ｙは、−ＯＣ（Ｏ）ＧＣＯ2Ｍ（Ｍは、Ｈまたは電荷のバランスをとるカチオンであり、Ｇは、式IVを有する置換または無置換のコハク酸、マレイン酸、グルタル酸、アジピン酸またはフタル酸の無水物に由来する有機基である）であり、
【化１３】
2015500888.tif 000111
前記無水物は、約３５３ダルトン未満、約９８ダルトン〜３５２ダルトン、またはさらには約１００ダルトン〜約３２５ダルトンの分子量を有する；
あるいは、Ｒ4は、下記式（Ｖ）を有する部分から選択され、
【化１４】
2015500888.tif 000112
式中、
各Ｒ11およびＲ12は、水素、Ｃ1〜Ｃ4アルキルまたはＣ6〜Ｃ10アリール部分から独立に選択され、ｍおよびｎは、独立しており、０から５までの整数であり、
Ｙは、−ＯＣ（Ｏ）ＧＣＯ2Ｍ（Ｍは、Ｈまたは電荷のバランスをとるカチオンであり、Ｇは、式VIを有する置換または無置換のコハク酸、マレイン酸、グルタル酸、アジピン酸またはフタル酸の無水物に由来する有機基である）であり、
【化１５】
2015500888.tif 000113
前記無水物は、約３５３ダルトン未満、約９８ダルトン〜３５２ダルトン、またはさらには約１００ダルトン〜約３２５ダルトンの分子量を有する；
あるいは、Ｒ4は、下記式（VII）を有する部分から選択され、
【化１６】
2015500888.tif 000114
式中、
Ｒ13は、Ｃ6〜Ｃ10アリール部分、ベンジル部分、またはＣ1〜Ｃ18アルキル部分から選択され、
各Ｒ14は、水素または−ＣＨ3から独立に選択され、ｍは、０〜１０の整数であり、
Ｙは、−ＯＣ（Ｏ）ＧＣＯ2Ｍ（Ｍは、Ｈまたは電荷のバランスをとるカチオンであり、Ｇは、式VIIIを有する置換または無置換のコハク酸、マレイン酸、グルタル酸、アジピン酸またはフタル酸の無水物に由来する有機基である）であり、
【化１７】
2015500888.tif 000115
前記無水物は、約３５３ダルトン未満、約９８ダルトン〜３５２ダルトン、またはさらには約１００ダルトン〜約３２５ダルトンの分子量を有し、
ii）Ｒ5は、独立に選択された上記定義のＲ4部分であり、あるいはＲ5は、Ｃ1〜Ｃ6アルキル部分またはベンジル部分から選択され、
iii）指数ａは、０〜２の整数であり、各Ｒ6は、メチル、メトキシ、またはアセトアミド部分から独立に選択されてもよい。
【請求項１０】
請求項９に記載の組成物であって、前記チオフェンアゾカルボキシレート色素について、Ｒ1、Ｒ2およびＲ3のそれぞれが、水素、（Ｃ1〜Ｃ4）−アルキル、（Ｃ6〜Ｃ10）−アリール、カルボキシレート、シアノ、スルホネート、アセテート、ニトロ、（Ｃ1〜Ｃ4）−アルキルエステル、ハロゲンまたはアミノ部分から独立に選択され、一側面においては、Ｒ1、Ｒ2およびＲ3のそれぞれが、水素、（Ｃ1〜Ｃ4）−アルキル、カルボキシレート、シアノ、スルホネート、ニトロ、（Ｃ1〜Ｃ4）−アルキルエステルまたはハロゲン部分から独立に選択される組成物。
【請求項１１】
請求項１に記載の組成物であって、前記チオフェンアゾカルボキシレート色素が、式（Ｘ）を有する組成物。
Ａ−Ｎ＝Ｎ−Ｘ    式Ｘ
式中、Ａ部分は、表１のＡ部分の番号１〜１１８からなる群から選択され、Ｘは、表４のＸ部分の番号１〜２４からなる群から選択され、Ｇは、式XIを有する置換または無置換のコハク酸、マレイン酸、グルタル酸、アジピン酸またはフタル酸の無水物に由来する有機基であり、
【化１８】
2015500888.tif 000116
前記無水物は、約３５３ダルトン未満、約９８ダルトン〜３５２ダルトン、またはさらには約１００ダルトン〜約３２５ダルトンの分子量を有する。
【請求項１２】
請求項１に記載の組成物であって、前記チオフェンアゾカルボキシレート色素が、式（XII）を有する組成物。
Ａ−Ｎ＝Ｎ−Ｘ    式ＸII
式中、Ａ部分は、表１のＡ部分の番号９〜１１、１５、２３、３４〜３５、３７〜３９、４１、４３、４７、５０〜５１、５７〜５８、７７、８３、８９、９５、１０６、および１１０〜１１８からなる群から選択され、Ｘ部分は、表４のＸ部分の番号１〜８、１３、１４、および１８〜２１からなる群から選択され、Ｇは、式XIIIを有する置換または無置換のコハク酸、マレイン酸、グルタル酸、アジピン酸またはフタル酸の無水物に由来する有機基であり、
【化１９】
2015500888.tif 000117
前記無水物は、約３５３ダルトン未満、約９８ダルトン〜３５２ダルトン、またはさらには約１００ダルトン〜約３２５ダルトンの分子量を有する。
【請求項１３】
請求項１２に記載の組成物であって、前記チオフェンアゾカルボキシレート色素の前記Ｇ部分は、表５のＧ部分の番号１〜４８から選択される組成物。
【請求項１４】
請求項１に記載の組成物であって、前記チオフェンアゾカルボキシレート色素が、下記式を有する組成物。
【化２０】
2015500888.tif 000118
式中、部分Ａは、表１のＡ部分の番号１〜１１８から選択され、ａ＝０〜２であり、ａ＝１または２であるとき、Ｒ6は、表２のＲ6置換基の同一性および位置の番号１〜４０から選択され、Ｒ4およびＲ5のグルーピングは、表３のＲ4およびＲ5のグルーピングの番号１〜８３から選択される。
【請求項１５】
請求項１に記載の組成物であって、前記チオフェンアゾカルボキシレート色素が、下記式を有する組成物。
【化２１】
2015500888.tif 000119
式中、部分Ａは、表１のＡ部分の番号９〜１１、１５、２３、３４〜３５、３７〜３９、４１、４３、４７、５０〜５１、５７〜５８、７７、８３、８９、９５、１０６、および１１０〜１１８から選択され、ａ＝０〜２であり、ａ＝１または２であるとき、Ｒ6は、表２のＲ6置換基の同一性および位置の番号１、３、５、７、１２、１３、１４、３１、３６および４０から選択され、Ｒ4およびＲ5のグルーピングは、表３のＲ4およびＲ5のグルーピングの番号３〜８、１４、１５、１８〜２３、２９、３０、３３〜３８、４４、４５、４８〜５３、５９、６０、６３〜６６、７１〜７６、８２および８３から選択される組成物。
【請求項１６】
請求項１に記載の組成物であって、前記チオフェンアゾカルボキシレート色素が、表６の式番号１〜４８から選択される式を有し、一側面においては、前記チオフェンアゾカルボキシレート色素は、表６の式番号１〜３６、４３および４４から選択される式を有する組成物。
【発明の詳細な説明】
【関連出願の相互参照】
【０００１】
本出願は、２０１１年６月３日に出願され、本明細書において参照によりその全体が組み込まれている「Ｔｈｉｏｐｈｅｎｅ  Ａｚｏ  Ｃａｒｂｏｘｙｌａｔｅ  Ｄｙｅｓ  ａｎｄ  Ｌａｕｎｄｒｙ  Ｃａｒｅ  Ｃｏｍｐｏｓｉｔｉｏｎｓ  Ｃｏｎｔａｉｎｉｎｇ  ｔｈｅ  Ｓａｍｅ」という表題の米国特許仮出願第６１／４９２，９３５号の優先権を主張する。
【技術分野】
【０００２】
本出願は、色相剤として使用するためのチオフェンアゾカルボキシレート色素、このような色素を含む洗濯ケア組成物、このような色素および洗濯ケア組成物を作製する方法、およびこれらを使用する方法に関する。上述の色素は、形式上帯電した部分を含有し、少なくとも２種の成分（少なくとも１種の発色団成分および少なくとも１種のポリマー成分）から一般になる。適切な発色団成分は一般に、紫外線光に曝露されたときに、青色、赤色、青紫色、もしくは紫色の蛍光を発し、またはこれらは光を吸収して、これらの同じ色合いを反射することができる。これらの色素は、時が経つにつれて蓄積せず、処理された布帛に対して望ましくない変色をもたらさない一方で、布帛に対して色相効果、例えば、増白効果を提供することにおいて有利である。このような色素はまた一般に、洗濯ケア組成物において使用される漂白剤に対して安定的である。
【背景】
【０００３】
テキスタイル基材が古くなるにつれ、これらの色は、光、空気、土壌への曝露、および基材を構成する繊維の自然の劣化によって退色または黄変する傾向がある。したがって、色相剤の目的は一般に、これらのテキスタイル基材を視覚的に明るくし、基材の退色および黄変を防止することである。典型的には、色相剤は、洗濯用洗剤、布帛柔軟剤、またはすすぎ助剤において見出すことができ、したがって洗濯工程の間にテキスタイル基材に塗布される。しかし、色相剤がテキスタイル基材の望ましくない着色をもたらさずに、処理されたテキスタイル基材を視覚的に明るくする働きをすることが重要である。セルロース基材は特に、光、空気、および／または土壌への曝露の後に黄色の色相を示す傾向がある。この黄色さは、通常の洗濯手順によって逆戻りさせることが困難であることが多い。その結果、古くなったセルロース基材が示す黄色さを解消できる改善された色相剤に対する需要がある。このような改善された色相剤を利用することによって、テキスタイル基材、例えば、衣類物品、食卓用リネンなどの寿命を伸ばすことができる。残念ながら、現在のチオフェンアゾ色素は、所望の通りに物理的に安定的ではない。このように、これらは特別な溶媒／取扱いを必要とし、これは、液体色素製品および洗濯用手入れ組成物配合物の柔軟性を制限し得る。さらに、洗濯用組成物において使用するために開示されている現在のチオフェンアゾカルボキシレート色素は、製品において使用することができるレベルにおいて所望の色相の利点を実現せず、高価すぎ、かつ／またはこれらは望ましくないレベルまで蓄積し、したがって処理された部位を複数の処理サイクルに亘り過度に色相付けするかのいずれかである。
【０００４】
本明細書において開示されているチオフェンアゾカルボキシレート色素、およびこれを含む洗濯用手入れ組成物は、従前のチオフェンアゾ色相剤とは異なり、本チオフェンアゾカルボキシレート色素が、このような色素によって増強された沈着、除去および色相角を実現することを可能にする形式電荷カルボキシレート部分（そのｐＫａ超）を含むため、ポリ尿素繊維、例えば、Ｌｙｃｒａ（登録商標）上の事前処理スポット染色、および／または過剰な費用のマイナス点を伴わずに、この領域における従前の努力を超えた利点を提供する。理論に束縛されるものではないが、本チオフェンアゾカルボキシレート色素は、より都合よい様式で、例えば、洗浄水中で金属イオンと相互作用するため、このようなマイナス点は回避されると本出願人等は考える。上記の利点は、一連の布帛タイプに亘って実現される。手短に言えば、出願人等は、現在の色相付けの欠陥の源を認識しており、本明細書においてこのような問題に対する解決を提供する。本明細書において開示されている色相付け化合物はまた、テキスタイル基材を含めた基材の黄色さを視覚的に中和するのに適切である波長で光を吸収する。これらの化合物は、テキスタイル基材を含めた基材のための色相剤として理想的に役目を果たし、消費者による使用のために洗濯ケア組成物中に組み込んでもよい。
【発明の概要】
【０００５】
本出願は、色相剤として使用するためのチオフェンアゾカルボキシレート色素、色相剤としての役割を果たしてもよいこのような色素を含む洗濯ケア組成物、このような色素ならびに洗濯ケア組成物を作製する方法、およびこれらを使用する方法に関する。上述の色素は、形式上帯電した部分を含有し、少なくとも２種の成分（少なくとも１種の発色団成分および少なくとも１種のポリマー成分）から一般になる。適切な発色団成分は一般に、紫外線光に曝露されたときに、青色、赤色、青紫色、もしくは紫色の蛍光を発し、またはこれらは光を吸収して、これらの同じ色合いを反射することができる。このような色素は、時が経つにつれて蓄積せず、処理された布帛に対して望ましくない青色の変色をもたらさない一方で、布帛に対して色相作用、例えば、増白作用を提供することにおいて有利である。このような色素はまた一般に、洗濯ケア組成物において使用される漂白剤に対して安定的である。
【詳細な説明】
【０００６】
本明細書において使用する場合、「アルコキシ」という用語は、繰り返し単位、例えば、ブチレンオキシド、グリシドールオキシド、エチレンオキシドまたはプロピレンオキシドを有する、ポリオールのＣ1〜Ｃ8アルコキシおよびアルコキシ誘導体を含むことを意図する。
【０００７】
本明細書において使用する場合、「アルキル」および「アルキルキャップされた」という用語は、Ｃ1〜Ｃ18アルキル基、および一側面において、Ｃ1〜Ｃ6アルキル基を含むことを意図する。
【０００８】
本明細書において使用する場合、「アリール」という用語は、Ｃ3〜Ｃ12アリール基を含むことを意図する。
【０００９】
本明細書において使用する場合、「アリールアルキル」という用語は、Ｃ1〜Ｃ18アルキル基、および一側面において、Ｃ1〜Ｃ6アルキル基を含むことを意図する。
【００１０】
本明細書において使用する場合、「形式上帯電した部分」という用語は、７〜１１の範囲のｐＨにて水溶液中で、少なくとも１つの正の形式電荷または少なくとも１つの負の形式電荷を有する部分を意味する。
【００１１】
「エチレンオキシド」、「プロピレンオキシド」および「ブチレンオキシド」という用語は、本明細書においてそれぞれ、「ＥＯ」、「ＰＯ」および「ＢＯ」というそれらの典型的な命名によって示されてもよい。
【００１２】
本明細書において使用する場合、「洗濯ケア組成物」という用語は、他に示さない限り、顆粒、粉末、液体、ゲル、ペースト、単位用量のバー形態および／またはフレークタイプの、洗浄剤および／または布帛処理組成物を含む。
【００１３】
本明細書において使用する場合、「布帛処理組成物」という用語は、他に示さない限り、布帛柔軟化組成物、布帛増強組成物、布帛回復組成物およびその組合せを含む。このような組成物は、リンスを加えた組成物でもよいが、これらである必要はない。
【００１４】
本明細書において使用する場合、「セルロース基材」は、重量によって、少なくとも大部分がセルロースを含む任意の基材を含むことを意図する。セルロースは、木、綿、亜麻、ジュート、および麻において見出すことができる。セルロース基材は、粉末、繊維、パルプ、ならびに粉末、繊維およびパルプから形成される物品の形態でよい。セルロース系繊維には、これらに限定されないが、綿、レーヨン（再生セルロース）、アセテート（酢酸セルロース）、トリアセテート（三酢酸セルロース）、およびこれらの混合物が含まれる。セルロース系繊維から形成される物品には、テキスタイル物品、例えば、布帛が含まれる。パルプから形成される物品には、紙が含まれる。
【００１５】
本明細書において使用する場合、「前記（ｔｈｅ）」、「１つの（ａ）」および「１つの（ａｎ）」を含めた冠詞は、特許請求の範囲において使用されるとき、特許請求しまたは記載しているものの１つ以上を意味すると理解される。
【００１６】
本明細書において使用する場合、「含む（ｉｎｃｌｕｄｅ）」、「含む（ｉｎｃｌｕｄｅｓ）」および「含んでいる（ｉｎｃｌｕｄｉｎｇ）」という用語は、非限定的であることを意味する。
【００１７】
本明細書において使用する場合、「最大吸光係数」という用語は、４００ナノメートル〜７５０ナノメートルの範囲の最大波長でのモル吸光係数を記載することを意図する。
【００１８】
本明細書において開示されているチオフェンアゾカルボキシレート色素は、これらの製造工程の結果として、これらのポリマー部分における繰り返し単位の分布を含有していてもよい。したがって、一側面において、本明細書において開示されているチオフェンアゾカルボキシレート色素の分子量は、その分子量分布によって決定されるように平均分子量として報告してもよい。
【００１９】
本出願の試験法のセクションにおいて開示されている試験法を使用して、本出願人等の発明のパラメーターのそれぞれの値を決定すべきである。
【００２０】
他に断らない限り、全ての成分または組成物のレベルは、その成分または組成物の活性部分に関したものであり、このような成分または組成物の市販の源中に存在することができる不純物、例えば、残留溶媒または副生成物を除く。
【００２１】
全ての百分率および比は、他に示さない限り、重量によって計算する。全ての百分率および比は、他に示さない限り、総組成物に基づいて計算する。
【００２２】
この明細書を通して提示する全ての最大数値限界は、全てのより低い数値限界が本明細書において明確に記載されたかのように、このようなより低い数値限界を含むと理解すべきである。この明細書を通して提示する全ての最小数値限界は、全てのより高い数値限界が本明細書において明確に記載されたかのように、このようなより高い数値限界を含む。この明細書を通して提示する全ての数値範囲は、このようなより狭い数値範囲が本明細書において全てが明確に記載されたかのように、このようなより広い数値範囲内に入る全てのより狭い数値範囲を含む。
【００２３】
引用された全ての文献は、関連する部分において、参照により本明細書中に組み込まれている。任意の文献の引用は、引用が本発明に関して従来技術であることを認めているとは解釈しない。
【００２４】
［適切な色相剤を含む洗濯ケア組成物］
一側面において、色相剤および１種以上の洗濯用手入れ成分を含む洗濯用手入れ組成物を開示する。適切な色相剤は、下記に一覧表示する全ての色相剤を含む。
【００２５】
一側面において、カルボン酸部分を含有するチオフェンアゾカルボキシレート色素（ただし、チオフェンアゾカルボキシレート色素は、下記の構造を有さない）を含む組成物を開示する。
【化１】
2015500888.tif 000002
【００２６】
上記の組成物の一側面において、前記チオフェンアゾカルボキシレート色素は、メタノール溶液中約４００ｎｍ〜約７５０ｎｍの波長範囲において、約１０００リットル／ｍｏｌ／ｃｍを超える最大吸光係数を有する。
【００２７】
上記の組成物の一側面において、前記チオフェンアゾカルボキシレート色素は、約５４０ｎｍ〜約６３０ｎｍの波長範囲において、約２０，０００〜約１００，０００リットル／ｍｏｌ／ｃｍの最大吸光係数を有する。
【００２８】
上記の組成物の一側面において、前記チオフェンアゾカルボキシレート色素は、約５６０ｎｍ〜約６１０ｎｍの波長範囲において、約２０，０００〜約６５，０００リットル／ｍｏｌ／ｃｍの最大吸光係数を有する。
【００２９】
上記の組成物の一側面において、前記チオフェンアゾカルボキシレート色素は、２３２ダルトン超、約２３３ダルトン〜約５０００ダルトン、約３６５ダルトン〜約２５００ダルトン、またはさらには約４２３ダルトン〜約１０００ダルトンの分子量を有する。
【００３０】
上記の組成物の一側面において、前記チオフェンアゾカルボキシレート色素は、一般式（Ｉ）によって表され、
【化２】
2015500888.tif 000003
【００３１】
式中、
ａ）Ｒ1、Ｒ2およびＲ3は、それぞれ独立に、水素、電子吸引性部分、および電子供与性部分から選択され、ただし、Ｒ1、Ｒ2およびＲ3の少なくとも１つは、電子吸引性部分であり、そして
ｂ）Ｘは、約１０４ダルトン〜約４８７１ダルトン、約２３６ダルトン〜約２３７１ダルトン、約２９４ダルトン〜約８７１ダルトンの分子量を有する有機部分である。
【００３２】
上記の組成物の一側面において、式Ｉを有する前記チオフェンアゾカルボキシレート色素について、Ｒ1、Ｒ2およびＲ3のそれぞれは、水素、（Ｃ1〜Ｃ4）−アルキル、（Ｃ3〜Ｃ10）−アリール、カルボキシレート、シアノ、スルホネート、ホスホネート、スルフェート、アセテート、ニトロ、（Ｃ1〜Ｃ4）−アルキルエステル、ハロゲンまたはアミノ部分から独立に選択される。
【００３３】
上記の組成物の一側面において、式Ｉを有する前記チオフェンアゾカルボキシレート色素について、Ｘは、下記式（II）を有する部分であり、
【化３】
2015500888.tif 000004
【００３４】
式中、
ｉ）Ｒ4は、下記式（III）を有する部分から選択され、
【化４】
2015500888.tif 000005
【００３５】
式中、
各Ｒ8は、水素、ヒドロキシにより任意に置換されていてもよいＣ1〜Ｃ8アルキル、またはアセチルから独立に選択され、
ｍは、０〜１０の整数であり、
Ｙは、−ＯＣ（Ｏ）ＧＣＯ2Ｍ（Ｍは、Ｈまたは電荷のバランスをとるカチオンであり、Ｇは、式IVを有する置換または無置換のコハク酸、マレイン酸、グルタル酸、アジピン酸またはフタル酸の無水物に由来する有機基である）であり、
【化５】
2015500888.tif 000006
【００３６】
前記無水物は、約３５３ダルトン未満、約９８ダルトン〜３５２ダルトン、またはさらには約１００ダルトン〜約３２５ダルトンの分子量を有する；
ii）Ｒ4は、下記式（Ｖ）を有する部分から選択され、
【化６】
2015500888.tif 000007
【００３７】
式中、
各Ｒ11およびＲ12は、水素、Ｃ1〜Ｃ8アルキル、アリール、アセチルまたはヒドロキシル部分から独立に選択され、ｍおよびｎは、独立しており、０から１０までの整数であり、
Ｙは、−ＯＣ（Ｏ）ＧＣＯ2Ｍ（Ｍは、Ｈまたは電荷のバランスをとるカチオンであり、Ｇは、式VIを有する置換または無置換のコハク酸、マレイン酸、グルタル酸、アジピン酸またはフタル酸の無水物に由来する有機基である）であり、
【化７】
2015500888.tif 000008
【００３８】
前記無水物は、約３５３ダルトン未満、約９８ダルトン〜３５２ダルトン、またはさらには約１００ダルトン〜約３２５ダルトンの分子量を有する；または
iii）Ｒ4は、下記式（VII）を有する部分から選択され、
【化８】
2015500888.tif 000009
【００３９】
式中、
Ｒ13は、Ｃ6〜Ｃ10アリール部分、Ｃ7〜Ｃ12アリールアルキル部分、Ｃ1〜Ｃ18アルキル部分、またはシロキサン部分から選択され、
各Ｒ14は、水素、Ｃ1〜Ｃ4アルキルから独立に選択され、ｍは、０〜１０の整数であり、
Ｙは、−ＯＣ（Ｏ）ＧＣＯ2Ｍ（Ｍは、Ｈまたは電荷のバランスをとるカチオンであり、Ｇは、式VIIIを有する置換または無置換のコハク酸、マレイン酸、グルタル酸、アジピン酸またはフタル酸の無水物に由来する有機基である）であり、
【化９】
2015500888.tif 000010
【００４０】
前記無水物は、約３５３ダルトン未満、約９８ダルトン〜３５２ダルトン、またはさらには約１００ダルトン〜約３２５ダルトンの分子量を有し、
Ｒ5は、独立に選択された上記定義のＲ4部分であり、あるいはＲ5は、Ｃ1〜Ｃ12アルキル部分、Ｃ2〜Ｃ12エーテル部分；Ｃ6〜Ｃ10アリール部分またはＣ7〜Ｃ12アリールアルキル部分から選択され；指数ａは、０〜４の整数であり、各Ｒ6は、Ｃ1〜Ｃ6アルキル、Ｃ1〜Ｃ4アルコキシ、ニトロ、ヒドロキシル、ハロゲン、または−ＮＨＣ（Ｏ）Ｒ22（ここで、Ｒ22は、Ｈ、−ＮＨ2、Ｃ1〜Ｃ6アルキル、フェニル、−（ＣＨ2）sＯＲ23から選択され、指数ｓは、１または２であり、Ｒ23は、Ｍｅ、フェニル、および−ＣＯ2ＣＨ2ＣＮから選択される）；−ＮＨＳＯ2Ｒ24（ここで、Ｒ24は、Ｃ1〜Ｃ4アルキルまたはフェニルである）から独立に選択してもよく；前記アルキル、アルコキシおよびアセトアミド部分は、カルボキシレート部分により任意に置換されていてもよい；
あるいは、Ｘは、上記式IIを有する部分であり、
式中、Ｒ4およびＲ5のそれぞれは、下記から独立に選択することができ、
ａ）［（ＣＨ2ＣＲ’ＨＯ）x（ＣＨ2ＣＲ’’ＨＯ）yＲ15］；
ｂ）Ｃ1〜Ｃ12アルキル、Ｃ6〜Ｃ10アリールまたはＣ7〜Ｃ12アリールアルキル；
ｃ）［ＣＨ2ＣＨ（ＯＲ16）ＣＨ2ＯＲ17］；
ｄ）スチレンオキシド、グリシジルメチルエーテル、イソブチルグリシジルエーテル、イソプロピルグリシジルエーテル、ｔ−ブチルグリシジルエーテル、２−エチルヘキシルグリシジルエーテル、およびグリシジルヘキサデシルエーテルのアミノ添加生成物、その後、１〜１０個のアルキレンオキシド単位の添加（少なくとも１個のこのようなアルキレンオキシド単位は、−ＨではないＲ15により置換されている）；
ここで、Ｒ’は、Ｈ、ＣＨ3、ＣＨ2Ｏ（ＣＨ2ＣＨ2Ｏ）zＲ15、およびこれらの混合物からなる群から選択され、Ｒ”は、Ｈ、ＣＨ2Ｏ（ＣＨ2ＣＨ2Ｏ）zＲ15、およびこれらの混合物からなる群から選択され、ｘ＋ｙ≦２０であり、ｙ≧１であり、ｚ＝０〜１０であり、各Ｒ15は、−ＨおよびＹ（Ｙは、−ＯＣ（Ｏ）ＧＣＯ2Ｍ（Ｍは、Ｈまたは電荷のバランスをとるカチオンであり、Ｇは、式IXを有する置換または無置換のコハク酸、マレイン酸、グルタル酸、アジピン酸またはフタル酸の無水物に由来する有機基である））から独立に選択され、
【化１０】
2015500888.tif 000011
【００４１】
（前記無水物は、約３５３ダルトン未満、約９８ダルトン〜３５２ダルトン、またはさらには約１００ダルトン〜約３２５ダルトンの分子量を有する）
Ｒ16は、Ｈ、（ＣＨ2ＣＨ2Ｏ）zＲ15（ｚ＝０〜１０である）、およびこれらの混合物からなる群から選択され、Ｒ17は、Ｃ1〜Ｃ16アルキル、Ｃ6〜Ｃ10アリール基、およびこれらの混合物からなる群から選択され、指数ｍは、０〜４の整数であり、各Ｒ6は上記定義の通りであり、さらにただし、分子は、少なくとも１個の−ＨではないＲ15基を含む。
【００４２】
上記の組成物の一側面において、式ＩＸを有する前記チオフェンアゾカルボキシレート色素について、Ｘは、下記式（II）を有する部分であり、
【化１１】
2015500888.tif 000012
【００４３】
式中、
ｉ）Ｒ4は、下記式（III）を有する部分から選択され、
【化１２】
2015500888.tif 000013
【００４４】
式中、
Ｒ8は、水素、Ｃ1〜Ｃ4アルキル部分またはＣ6〜Ｃ10アリール部分であり、
Ｙは、−ＯＣ（Ｏ）ＧＣＯ2Ｍ（Ｍは、Ｈまたは電荷のバランスをとるカチオンであり、Ｇは、式IVを有する置換または無置換のコハク酸、マレイン酸、グルタル酸、アジピン酸またはフタル酸の無水物に由来する有機基である）であり、
【化１３】
2015500888.tif 000014
【００４５】
前記無水物は、約３５３ダルトン未満、約９８ダルトン〜３５２ダルトン、またはさらには約１００ダルトン〜約３２５ダルトンの分子量を有する；
あるいは、Ｒ4は、下記式（Ｖ）を有する部分から選択され、
【化１４】
2015500888.tif 000015
【００４６】
式中、
各Ｒ11およびＲ12は、水素、Ｃ1〜Ｃ4アルキルまたはＣ6〜Ｃ10アリール部分から独立に選択され、ｍおよびｎは、独立しており、０から５までの整数であり、
Ｙは、−ＯＣ（Ｏ）ＧＣＯ2Ｍ（Ｍは、Ｈまたは電荷のバランスをとるカチオンであり、Ｇは、式VIを有する置換または無置換のコハク酸、マレイン酸、グルタル酸、アジピン酸またはフタル酸の無水物に由来する有機基である）であり、
【化１５】
2015500888.tif 000016
【００４７】
前記無水物は、約３５３ダルトン未満、約９８ダルトン〜３５２ダルトン、またはさらには約１００ダルトン〜約３２５ダルトンの分子量を有する；
あるいは、Ｒ4は、下記式(VII)を有する部分から選択され、
【化１６】
2015500888.tif 000017
【００４８】
式中、
Ｒ13は、Ｃ6〜Ｃ10アリール部分、ベンジル部分、またはＣ1〜Ｃ18アルキル部分から選択され、
各Ｒ14は、水素または−ＣＨ3から独立に選択され、ｍは、０〜１０の整数であり、
Ｙは、−ＯＣ（Ｏ）ＧＣＯ2Ｍ（Ｍは、Ｈまたは電荷のバランスをとるカチオンであり、Ｇは、式VIIIを有する置換または無置換のコハク酸、マレイン酸、グルタル酸、アジピン酸またはフタル酸の無水物に由来する有機基である）であり、
【化１７】
2015500888.tif 000018
【００４９】
前記無水物は、約３５３ダルトン未満、約９８ダルトン〜３５２ダルトン、またはさらには約１００ダルトン〜約３２５ダルトンの分子量を有し、
ii）Ｒ5は、独立に選択された上記定義のＲ4部分であり、あるいはＲ5は、Ｃ1〜Ｃ6アルキル部分またはベンジル部分から選択され、
iii）指数ａは、０〜２の整数であり、各Ｒ6は、メチル、メトキシ、またはアセトアミド部分から独立に選択されていてもよい。
【００５０】
上記の組成物の一側面において、式Ｉを有する前記チオフェンアゾカルボキシレート色素について、Ｒ1、Ｒ2およびＲ3のそれぞれは、水素、（Ｃ1〜Ｃ4）−アルキル、（Ｃ6〜Ｃ10）−アリール、カルボキシレート、シアノ、スルホネート、アセテート、ニトロ、（Ｃ1〜Ｃ4）−アルキルエステル、ハロゲンまたはアミノ部分から独立に選択され、一側面において、Ｒ1、Ｒ2およびＲ3のそれぞれは、水素、（Ｃ1〜Ｃ4）−アルキル、カルボキシレート、シアノ、スルホネート、ニトロ、（Ｃ1〜Ｃ4）−アルキルエステルまたはハロゲン部分から独立に選択される。
【００５１】
上記の組成物の一側面において、前記チオフェンアゾカルボキシレート色素は、式（Ｘ）を有し、
Ａ−Ｎ＝Ｎ−Ｘ    式Ｘ
式中、Ａ部分は、表１のＡ部分の番号１〜１１８からなる群から選択され、Ｘは、表４のＸ部分の番号１〜２４からなる群から選択され、Ｇは、式XIを有する置換または無置換のコハク酸、マレイン酸、グルタル酸、アジピン酸またはフタル酸の無水物に由来する有機基であり、
【化１８】
2015500888.tif 000019
【００５２】
前記無水物は、約３５３ダルトン未満、約９８ダルトン〜３５２ダルトン、またはさらには約１００ダルトン〜約３２５ダルトンの分子量を有する。
【００５３】
上記の組成物の一側面において、前記チオフェンアゾカルボキシレート色素は、式（XII）を有し、
Ａ−Ｎ＝Ｎ−Ｘ    式ＸII
式中、Ａ部分は、表１のＡ部分の番号９〜１１、１５、２３、３４〜３５、３７〜３９、４１、４３、４７、５０〜５１、５７〜５８、７７、８３、８９、９５、１０６、および１１０〜１１８からなる群から選択され、Ｘ部分は、表４のＸ部分の番号１〜８、１３、１４、および１８〜２１からなる群から選択され、Ｇは、式XIIIを有する置換または無置換のコハク酸、マレイン酸、グルタル酸、アジピン酸またはフタル酸の無水物に由来する有機基であり、
【化１９】
2015500888.tif 000020
【００５４】
前記無水物は、約３５３ダルトン未満、約９８ダルトン〜３５２ダルトン、またはさらには約１００ダルトン〜約３２５ダルトンの分子量を有する。上記の組成物の一側面において、前記チオフェンアゾカルボキシレート色素の前記Ｇ部分は、表５のＧ部分の番号１〜４８から選択される。
【００５５】
上記の組成物の一側面において、前記チオフェンアゾカルボキシレート色素は、下記式を有し、
【化２０】
2015500888.tif 000021
【００５６】
式中、Ａ部分は、表１のＡ部分の番号１〜１１８から選択され、ａ＝０〜２であり、ａ＝１または２であるとき、Ｒ6は、表２のＲ6置換基の同一性および位置の番号１〜４０から選択され、Ｒ4およびＲ5のグルーピングは、表３のＲ4およびＲ5のグルーピングの番号１〜８３から選択される。
【００５７】
上記の組成物の一側面において、前記チオフェンアゾカルボキシレート色素は、下記式を有し、
【化２１】
2015500888.tif 000022
【００５８】
式中、部分Ａは、表１のＡ部分の番号９〜１１、１５、２３、３４〜３５、３７〜３９、４１、４３、４７、５０〜５１、５７〜５８、７７、８３、８９、９５、１０６、および１１０〜１１８から選択され、ａ＝０〜２であり、ａ＝１または２であるとき、Ｒ6は、表２のＲ6置換基の同一性および位置の番号１、３、５、７、１２、１３、１４、３１、３６および４０から選択され、Ｒ4およびＲ5のグルーピングは、表３のＲ4およびＲ5のグルーピングの番号３〜８、１４、１５、１８〜２３、２９、３０、３３〜３８、４４、４５、４８〜５３、５９、６０、６３〜６６、７１〜７６、８２および８３から選択される。
【００５９】
上記の組成物の一側面において、前記チオフェンアゾカルボキシレート色素は、表６の式番号１〜４８から選択される式を有し、一側面において、前記チオフェンアゾカルボキシレート色素は、表６の式番号１〜３６、４３および４４から選択される式を有する。
【００６０】
Ａ部分は、表１に示す部分から選択してもよい。
【表１−１】
2015500888.tif 000023
【００６１】
【表１−２】
2015500888.tif 000024
【００６２】
【表１−３】
2015500888.tif 000025
【００６３】
【表１−４】
2015500888.tif 000026
【００６４】
【表１−５】
2015500888.tif 000027
【００６５】
【表１−６】
2015500888.tif 000028
【００６６】
【表１−７】
2015500888.tif 000029
【００６７】
Ｒ6は、表２に示す置換基から選択してもよい。
【表２−１】
2015500888.tif 000030
【００６８】
【表２−２】
2015500888.tif 000031
【００６９】
Ｒ4およびＲ5のグルーピングは、表３に示すグルーピングから選択してもよい。
【表３−１】
2015500888.tif 000032
【００７０】
【表３−２】
2015500888.tif 000033
【００７１】
【表３−３】
2015500888.tif 000034
【００７２】
【表３−４】
2015500888.tif 000035
【００７３】
【表３−５】
2015500888.tif 000036
【００７４】
【表３−６】
2015500888.tif 000037
【００７５】
【表３−７】
2015500888.tif 000038
【００７６】
【表３−８】
2015500888.tif 000039
【００７７】
【表３−９】
2015500888.tif 000040
【００７８】
【表３−１０】
2015500888.tif 000041
【００７９】
【表３−１１】
2015500888.tif 000042
【００８０】
【表３−１２】
2015500888.tif 000043
【００８１】
【表３−１３】
2015500888.tif 000044
【００８２】
Ｘ部分は、表４において示した部分から選択してもよい。
【表４−１】
2015500888.tif 000045
【００８３】
【表４−２】
2015500888.tif 000046
【００８４】
【表４−３】
2015500888.tif 000047
【００８５】
【表４−４】
2015500888.tif 000048
【００８６】
【表４−５】
2015500888.tif 000049
【００８７】
上記の表４におけるＸ部分中のＧ部分は、表５に示す部分１〜４８から選択してもよい。
【表５−１】
2015500888.tif 000050
【００８８】
【表５−２】
2015500888.tif 000051
【００８９】
【表５−３】
2015500888.tif 000052
【００９０】
本発明においてＹ部分を生じさせることにおいて使用するのに適した無水物には、これらに限定されないが、下記が含まれる。３−（２Ｅ）−２−ドデセン−１−イルジヒドロ−２，５−フランジオン；（３ａＲ，７ａＳ）−ｒｅｌ−３ａ，４，７，７ａ−テトラヒドロ−４，７−エポキシイソベンゾフラン−１，３−ジオン；３−ヘキシルジヒドロ−３−メチル−２，５−フランジオン；３−ヘキシルジヒドロ−２，５−フランジオン；（３ａＲ，８ａＳ）−ｒｅｌ−ヘキサヒドロ−１Ｈ−シクロヘプタ［ｃ］フラン−１，３（３ａＨ）−ジオン；（３ａＲ，６ａＳ）−ｒｅｌ−テトラヒドロ−１Ｈ−シクロペンタ［ｃ］フラン−１，３（３ａＨ）−ジオン；５−（１，１−ジメチルエチル）−１，３−イソベンゾフランジオン；ジヒドロ−３−（フェニルメチル）−２，５−フランジオン；３−デシルジヒドロ−２，５−フランジオン；ジヒドロ−３，３−ジメチル−２，５−フランジオン；（３ａＲ，４Ｓ，７Ｒ，７ａＳ）−ｒｅｌ−ヘキサヒドロ−４，７−メタノイソベンゾフラン−１，３−ジオン；３−エチルジヒドロ−２，５−フランジオン；（３ａＲ，７ａＳ）−ｒｅｌ−３ａ，４，７，７ａ−テトラヒドロ−５，６−ジメチル−１，３−イソベンゾフランジオン；３−（２−ヘキセン−１−イル）ジヒドロ−２，５−フランジオン；ジヒドロ−３−（２−プロペン−１−イル）−２，５−フランジオン；ヘキサヒドロ−４，７−メタノイソベンゾフラン−１，３−ジオン；５，６−ジメチル−１，３−イソベンゾフランジオン；テトラヒドロ−１Ｈ−シクロペンタ［ｃ］フラン−１，３（３ａＨ）−ジオン；５−ニトロ−１，３−イソベンゾフランジオン；ヘキサヒドロ−４，７−エポキシイソベンゾフラン−１，３−ジオン；３ａ，４，７，７ａ−テトラヒドロ−４，７−エポキシイソベンゾフラン−１，３−ジオン；５，６−ジメトキシ−１，３−イソベンゾフランジオン；ジヒドロ−３−オクチル−２，５−フランジオン；ジヒドロ−３−メチル−２，５−フランジオン；１，３−ジヒドロ−１，３−ジオキソ−５−イソベンゾフランカルボン酸、メチルエステル；３−ドデシルジヒドロ−２，５−フランジオン；ジヒドロ−３−フェニル−２，５−フランジオン；３ａ，４，７，７ａ−テトラヒドロ−４，７−メタノイソベンゾフラン−１，３−ジオン；４−ニトロ−１，３−イソベンゾフランジオン；１，３−ジヒドロ−１，３−ジオキソ−５−イソベンゾフランカルボン酸；（３ａＲ，４Ｓ，７Ｒ，７ａＳ）−ｒｅｌ−３ａ，４，７，７ａ−テトラヒドロ−４，７−メタノイソベンゾフラン−１，３−ジオン；４，５，６，７−テトラクロロ−１，３−イソベンゾフランジオン；ジヒドロ−２，５−フランジオン；１，３−イソベンゾフランジオン；３ａ，４，７，７ａ−テトラヒドロ−１，３−イソベンゾフランジオン；ヘキサヒドロ−１，３−イソベンゾフランジオン；（３ａＲ，４Ｓ，７Ｒ，７ａＳ）−ｒｅｌ−ヘキサヒドロ−３ａ，７ａ−ジメチル−４，７−エポキシイソベンゾフラン−１，３−ジオン；４−ヘキシルジヒドロ−２Ｈ−ピラン−２，６（３Ｈ）−ジオン；ジヒドロ−４−（２−メチルプロピル）−２Ｈ−ピラン−２，６（３Ｈ）−ジオン；４−［［（１，１−ジメチルエチル）ジメチルシリル］オキシ］ジヒドロ−２Ｈ−ピラン−２，６（３Ｈ）−ジオン；４，４−ジメチル−１Ｈ−２−ベンゾピラン−１，３（４Ｈ）−ジオン；４−エチルジヒドロ−４−メチル−２Ｈ−ピラン−２，６（３Ｈ）−ジオン；８−オキサスピロ［４．５］デカン−７，９−ジオン；ジヒドロ−４，４−ジメチル−２Ｈ−ピラン−２，６（３Ｈ）−ジオン；ジヒドロ−３−フェニル−２Ｈ−ピラン−２，６（３Ｈ）−ジオン；ジヒドロ−３，３−ジメチル−２Ｈ−ピラン−２，６（３Ｈ）−ジオン；１Ｈ−２−ベンゾピラン−１，３（４Ｈ）−ジオン；ジヒドロ−２Ｈ−ピラン−２，６（３Ｈ）−ジオン；１Ｈ，３Ｈ−ナフト［１，８−ｃｄ］ピラン−１，３−ジオン；３−オキサビシクロ［３．２．１］オクタン−２，４−ジオン；ジベンゾ［ｃ，ｅ］オキセピン−５，７−ジオン；４，５−ジヒドロ−２−ベンゾオキセピン−１，３−ジオン；および２，７−オキセパンジオン。このような適切な無水物は、下記の１つまたは複数から得てもよい。３Ｂ  Ｓｃｉｅｎｔｉｆｉｃ  Ｃｏｒｐｏｒａｔｉｏｎ、Ｌｉｂｅｒｔｙｖｉｌｌｅ、ＩＬ、６００４８；Ａｃｃｅｌ  Ｐｈａｒｍｔｅｃｈ、ＬＬＣ、Ｅａｓｔ  Ｂｒｕｎｓｗｉｃｋ、ＮＪ、０８８１６；Ａ  Ｃｈｅｍｔｅｋ、Ｗｏｒｃｅｓｔｅｒ、ＭＡ、０１６０６；ＡＫ  Ｓｃｉｅｎｔｉｆｉｃ，  Ｉｎｃ．、Ｕｎｉｏｎ  Ｃｉｔｙ、ＣＡ、９４５８７；ＡＫｏｓ  Ｃｏｎｓｕｌｔｉｎｇ  ａｎｄ  Ｓｏｌｕｔｉｏｎｓ  Ｄｅｕｔｓｃｈｌａｎｄ  ＧｍｂＨ、Ｓｔｅｉｎｅｎ、Ｄ−７９５８５、Ｇｅｒｍａｎｙ；Ａｌｆａ  Ａｅｓａｒ、Ｗａｒｄ  Ｈｉｌｌ、ＭＡ、０１８３５；Ａｌｌｉｃｈｅｍ  ＬＬＣ、Ｂａｌｔｉｍｏｒｅ、ＭＤ、２１２２４；Ａｍｅｒｉｃａｎ  Ｃｕｓｔｏｍ  Ｃｈｅｍｉｃａｌｓ  Ｃｏｒｐ．、Ｓａｎ  Ｄｉｅｇｏ、ＣＡ、９２１９６−２５２７；Ａｕｒｏｒａ  Ｆｉｎｅ  Ｃｈｅｍｉｃａｌｓ  ＬＬＣ、Ｓａｎ  Ｄｉｅｇｏ、ＣＡ、９２１２６；Ｂｅｔａ  Ｐｈａｒｍａ  Ｓｃｉｅｎｔｉｆｉｃ，  Ｉｎｃ．、Ｂｒａｎｆｏｒｄ、ＣＴ、０６４０５；Ｃｉｔｙ  Ｃｈｅｍｉｃａｌ  ＬＬＣ、Ｗｅｓｔ  Ｈａｖｅｎ、ＣＴ、０６５１６；Ｒｙａｎ  Ｓｃｉｅｎｔｉｆｉｃ，  Ｉｎｃ．、Ｍｔ．Ｐｌｅａｓａｎｔ、ＳＣ、２９４６５；Ｓｉｇｍａ−Ａｌｄｒｉｃｈ、Ｓｔ．Ｌｏｕｉｓ、ＭＯ、６３１７８；ＴＣＩ  Ａｍｅｒｉｃａ、Ｐｏｒｔｌａｎｄ、ＯＲ、９７２０３；Ｗａｔｅｒｓｔｏｎｅ  Ｔｅｃｈｎｏｌｏｇｙ、Ｃａｒｍｅｌ、ＩＮ、４６０３２；およびＹｏｕｃｈｅｍｉｃａｌｓ  Ｌｉｍｉｔｅｄ、Ｍｉｎｈａｎｇ、Ｓｈａｎｇｈａｉ、２０１１００、中華人民共和国。
【００９１】
チオフェンアゾカルボキシレート色素は、表１から選択したＡ部分の任意の１つ、表２から選択したＲ6置換基の任意の１つ、表３から選択したＲ4ならびにＲ5のグルーピングの任意の１つ、表４から選択したＸ部分の任意の１つ、および表５から選択したＧ部分の任意の１つを含んでもよいことは、本発明の範囲内であることが意図される。
【００９２】
本発明のさらに別の側面において、適切なチオフェンアゾカルボキシレート色素には、これらに限定されないが、表６に示す構造が含まれる。
【表６−１】
2015500888.tif 000053
【００９３】
【表６−２】
2015500888.tif 000054
【００９４】
【表６−３】
2015500888.tif 000055
【００９５】
【表６−４】
2015500888.tif 000056
【００９６】
【表６−５】
2015500888.tif 000057
【００９７】
【表６−６】
2015500888.tif 000058
【００９８】
【表６−７】
2015500888.tif 000059
【００９９】
【表６−８】
2015500888.tif 000060
【０１００】
【表６−９】
2015500888.tif 000061
【０１０１】
【表６−１０】
2015500888.tif 000062
【０１０２】
【表６−１１】
2015500888.tif 000063
【０１０３】
従前に示したように、本明細書に記載されている色相剤は、これらに限定されないが、洗濯用洗剤および布帛ケア組成物を含めた洗濯ケア組成物中に組み込んでもよい。洗濯用洗剤を含めた洗濯ケア組成物は、ゲル形態、および／または単位用量形態（複数コンパートメント単位用量形態を含めた）を含めた、固体または液体形態でよい。このような組成物は、前記色相剤および洗濯ケア成分の１つ以上を含んでもよい。
【０１０４】
一側面において、前記洗濯ケア組成物は、総洗濯ケア組成物の重量に基づいて、１５％未満のビルダー、１０％未満のビルダー、またはさらには５％未満のビルダーを含んでもよい。
【０１０５】
一側面において、前記洗濯ケア組成物は、総洗濯ケア組成物の重量に基づいて、全部で２０％以下の水、全部で１５％以下の水、全部で１０％以下の水、またはさらには全部で５％以下の水を含んでもよい。
【０１０６】
一側面において、前記洗濯ケア組成物は、総洗濯ケア組成物の重量に基づいて、約１０％〜約７０％の７０ダルトンを超える分子量を有する水混和性有機溶媒を含んでもよい。
【０１０７】
一側面において、前記洗濯ケア組成物は、総洗濯ケア組成物の重量に基づいて、コア、および前記コアをカプセル化するシェルを含む芳香剤マイクロカプセルを含んでもよく、前記芳香剤マイクロカプセルは、約０．０１ミクロン〜約２００ミクロンのＤ［４，３］平均粒子を有し、マイクロカプセル（洗濯ケア成分に加えられる芳香剤マイクロカプセルスラリー中に含有される）を加えることによって供給され、かつ／または洗濯ケア組成物に直接加えられるホルムアルデヒドスカベンジャーを任意に有してもよい。一側面において、前記芳香剤マイクロカプセルのシェルは、ポリエチレン、ポリアミド、ポリスチレン、ポリイソプレン、ポリカーボネート、ポリエステル、ポリアクリレート、ポリ尿素、ポリウレタン、ポリオレフィン、多糖類、エポキシ樹脂、ビニルポリマー、およびこれらの混合物からなる群から選択される材料を含めた任意の材料でできていてもよい。一側面において、有用なシェル材料には、コア材料に対して十分に不浸透性である材料、および得られる芳香剤の送達を可能とする芳香剤マイクロカプセルが用いられる環境における材料が含まれる。適切な不浸透性シェル材料は、１種以上のアミンと１種以上のアルデヒドとの反応生成物、例えば、ホルムアルデヒドまたはグルタルアルデヒドと架橋している尿素；ホルムアルデヒドと架橋しているメラミン；グルタルアルデヒドと任意に架橋していてもよいゼラチン−ポリホスフェートコアセルベート；ゼラチン−アラビアゴムコアセルベート；架橋シリコーン流体；ポリイソシアネートと反応したポリアミン、およびこれらの混合物からなる群から選択される材料が含まれる。一側面において、シェル材料は、ホルムアルデヒドおよび／またはポリアクリレートと架橋したメラミンを含む。適切な芳香剤マイクロカプセルは、Ａｐｐｌｅｔｏｎ  Ｐａｐｅｒｓ、Ａｐｐｌｅｔｏｎ  Ｗｉｓｃｏｎｓｉｎ、ＵＳＡから得てもよい。
【０１０８】
一側面において、適切なホルムアルデヒドスカベンジャーは、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、アセト酢酸エチル、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分加水分解されたポリ（ビニルホルムアミド）、ポリ（ビニルアミン）、ポリ（エチレンイミン）、ポリ（オキシアルキレンアミン）、ポリ（ビニルアルコール）−ｃｏ−ポリ（ビニルアミン）、ポリ（４−アミノスチレン）、ポリ（ｌ−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキサルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、またはこれらの混合物からなる群から選択される材料を含む。これらのホルムアルデヒドスカベンジャーは、Ｓｉｇｍａ／Ａｌｄｒｉｃｈ／Ｆｌｕｋａ、Ｓｔ．Ｌｏｕｉｓ、ＭＯ．Ｕ．Ｓ．Ａ．またはＰｏｌｙＳｃｉｅｎｃｅｓ、Ｉｎｃ．、Ｗａｒｒｉｎｇｔｏｎ、ＰＡ、Ｕ．Ｓ．Ａから得てもよい。
【０１０９】
このようなホルムアルデヒドスカベンジャーを典型的には、総スラリーの重量に基づいて、約２重量％〜約１８重量％、約３．５重量％〜約１４重量％またはさらには約５重量％〜約１３重量％のレベルで、前記芳香剤マイクロカプセルを含有するスラリーと合わせる。
【０１１０】
一側面において、このようなホルムアルデヒドスカベンジャーを、芳香剤マイクロカプセルを含有する生成物と合わせてもよく、前記スカベンジャーを、前記生成物と、総生成物の重量に基づいて、生成物配合物の約０．００５％〜約０．８％、あるいは約０．０３％〜約０．５％、あるいは約０．０６５％〜約０．２５％のレベルで合わせる。
【０１１１】
別の側面において、このようなホルムアルデヒドスカベンジャーを、総スラリー重量に基づいて、約２重量％〜約１４重量％、約３．５重量％〜約１４重量％またはさらには約５重量％〜約１４重量％のレベルで、前記芳香剤マイクロカプセルを含有するスラリーと合わせてもよく、前記スラリーを、生成物マトリックスに加えてもよく、この添加に同一または異なるスカベンジャーを、総生成物の重量に基づいて、生成物配合物の約０．００５％〜約０．５％、あるいは約０．０１％〜約０．２５％、あるいは約０．０５％〜約０．１５％のレベルで加えてもよい。
【０１１２】
一側面において、上記のホルムアルデヒドスカベンジャーの１つ以上を、総液体布帛増強生成物の重量に基づいて、生成物配合物の０．００５％〜約０．８％、あるいは約０．０３％〜約０．４％、あるいは約０．０６％〜約０．２５％のレベルで、芳香剤マイクロカプセルを含有する液体布帛増強生成物と合わせてもよい。
【０１１３】
一側面において、このようなホルムアルデヒドスカベンジャーを、芳香剤マイクロカプセルを含有する液体洗濯用洗剤生成物と合わせてもよく、前記スカベンジャーは、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、アセト酢酸エチル、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分加水分解されたポリ（ビニルホルムアミド）、ポリ（ビニルアミン）、ポリ（エチレンイミン）、ポリ（オキシアルキレンアミン）、ポリ（ビニルアルコール）−ｃｏ−ポリ（ビニルアミン）、ポリ（４−アミノスチレン）、ポリ（ｌ−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキサルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、ならびにこれらの混合物からなる群から選択され、前記液体洗濯用洗剤生成物と、総液体洗濯用洗剤生成物の重量に基づいて、約０．００３重量％〜約０．２０重量％、約０．０３重量％〜約０．２０重量％またはさらには約０．０６重量％〜約０．１４重量％のレベルで合わせる。
【０１１４】
色相剤を、種々の塗付技術を使用して基材に加えてもよい。例えば、セルロース含有テキスタイル基材への塗布のために、色相剤を、洗濯用洗剤の成分として含んでもよい。このように、セルロース含有テキスタイル基材への塗布は、消費者が洗濯用洗剤を洗濯機に加えるときに実際に起こる。色相剤は、組成物の約０．０００００１重量％〜約１０重量％、組成物の約０．００００１重量％〜約１０重量％、組成物の約０．０００１重量％〜約５重量％、およびさらには組成物の約０．０００１重量％〜約１重量％の量で、洗濯用洗剤組成物中に存在してもよい。
【０１１５】
洗濯用洗剤組成物は典型的には、所望の浄化特性を提供するのに十分な量で界面活性剤を含む。一側面において、洗濯用洗剤組成物は、総洗濯用洗剤組成物の重量に基づいて、約０．５％〜約９９％の界面活性剤、約１％〜約９５％の界面活性剤、約５％〜約９０％の界面活性剤、約５％〜約７０％の界面活性剤、またはさらには約５％〜約４０％の界面活性剤を含んでもよい。界面活性剤は、アニオン性、非イオン性、カチオン性、双性イオン性および／または両性界面活性剤を含んでもよい。一側面において、洗剤組成物は、アニオン性界面活性剤、非イオン性界面活性剤、またはこれらの混合物を含む。
【０１１６】
布帛ケア組成物は典型的にはすすぎサイクルに加えるが、これは典型的な洗濯工程において、洗剤溶液を使用し、すすぎ溶液と置きかえた後である。本明細書において開示されている布帛ケア組成物は、本明細書において開示されているようなリンスを加えた布帛柔軟化活性剤および適切な色相剤を含み得る。布帛ケア組成物は、総布帛ケア組成物の重量に基づいて、約１％〜約９０％、または約５％〜約５０％の布帛柔軟化活性剤を含んでもよい。色相剤は、布帛ケア組成物中に約０．５ｐｐｂ〜約５０ｐｐｍ、または約０．５ｐｐｍ〜約３０ｐｐｍの量で存在してもよい。
【０１１７】
［適切な洗濯ケア成分］
本発明の目的のために本質的ではない一方、本明細書において下記で例示する洗濯ケア成分の非限定的な一覧は、洗濯ケア組成物における使用に適しており、例えば、浄化する基材の処理のために性能を補助もしくは増強し、または芳香剤、着色剤、色素などと同様に組成物の美的外観を修飾するために本発明の特定の側面において望ましくは組み込んでもよい。このような成分は、任意の特定の側面のために従前に一覧表示した成分以外であることが理解される。このような補助剤の総量は、色素の量を考慮に入れると、洗濯ケア組成物の重量によって約９０％〜約９９．９９９９９９９５％の範囲でよい。
【０１１８】
これらのさらなる成分の正確な性質およびその組込みのレベルは、組成物の物理的形態、および組成物が使用される作業の性質によって決まる。適切な洗濯ケア成分には、これらに限定されないが、布帛柔軟化活性剤、ポリマー、例えば、カチオン性ポリマー、界面活性剤、ビルダー、キレート剤、色素移動阻害剤、分散剤、酵素、および酵素安定剤、触媒材料、漂白活性化剤、ポリマー分散化剤、粘土質土壌除去／再付着防止剤、ブライトナー、泡抑制剤、色素、芳香剤（複数可）（クオドラント芳香剤を含めた）、およびさらなる芳香剤送達系（芳香剤充填ゼオライト、デンプンカプセル化アコード、およびシッフ塩基プロ芳香剤を含めた）、構造弾性化剤、布帛柔軟剤、担体、ヒドロトロープ、加工助剤、ならびに／または顔料が含まれる。下記の開示に加えて、このような他の補助剤の適切な例および使用レベルは、参照により組み込まれている、米国特許第５，５７６，２８２号、同第６，３０６，８１２Ｂ１号および同第６，３２６，３４８Ｂ１号に見出される。
【０１１９】
記載した通り、洗濯ケア成分は、本出願人等の洗濯ケア組成物にとって本質的ではない。したがって、本出願人等の組成物の特定の側面は、下記の補助剤材料：布帛柔軟化活性剤、漂白活性化剤、界面活性剤、ビルダー、キレート剤、色素移動阻害剤、分散剤、酵素、および酵素安定剤、触媒金属錯体、ポリマー分散化剤、粘土および土壌除去／再付着防止剤、ブライトナー、泡抑制剤、色素、さらなる芳香剤および芳香剤送達系、構造弾性化剤、布帛柔軟剤、担体、ヒドロトロープ、加工助剤、ならびに／または顔料の１つ以上を含有しない。しかし、１種以上の補助剤が存在するとき、このような１種以上の補助剤は、下記に詳述するように存在してもよい。
【０１２０】
［界面活性剤］
本明細書において有用な適切なアニオン性界面活性剤は、液体洗剤生成物において典型的には使用される通常のアニオン性界面活性剤タイプのいずれかを含むことができる。これらには、アルキルベンゼンスルホン酸およびこれらの塩、ならびにアルコキシル化または非アルコキシル化アルキルスルフェート材料が含まれる。
【０１２１】
例示的なアニオン性界面活性剤は、Ｃ10〜Ｃ16アルキルベンゼンスルホン酸、またはＣ11〜Ｃ14アルキルベンゼンスルホン酸のアルカリ金属塩である。一側面において、アルキル基は直鎖状であり、このような直鎖状アルキルベンゼンスルホネートは、「ＬＡＳ」として公知である。アルキルベンゼンスルホネート、特にＬＡＳは、当技術分野で周知である。このような界面活性剤およびこれらの製造は、例えば、米国特許第２，２２０，０９９号および同第２，４７７，３８３号に記載されている。特に有用なのは、ナトリウムおよびカリウム線状直鎖アルキルベンゼンスルホネートであり、アルキル基中の炭素原子の平均数は、約１１〜１４である。ナトリウムＣ11〜Ｃ14、例えば、Ｃ12、ＬＡＳは、このような界面活性剤の具体例である。
【０１２２】
アニオン性界面活性剤の別の例示的なタイプは、エトキシ化アルキルスルフェート界面活性剤を含む。アルキルエーテルスルフェートまたはアルキルポリエトキシレートスルフェートとしてもまた公知であるこのような材料は、式：Ｒ’−Ｏ−（Ｃ2Ｈ4Ｏ）n−ＳＯ3Ｍ（Ｒ’は、Ｃ8〜Ｃ20アルキル基であり、ｎは、約１〜２０であり、Ｍは、塩形成カチオンである）に相当するものである。一側面において、Ｒ’は、Ｃ10〜Ｃ18アルキルであり、ｎは、約１〜１５であり、Ｍは、ナトリウム、カリウム、アンモニウム、アルキルアンモニウム、またはアルカノールアンモニウムである。一側面において、Ｒ’は、Ｃ12〜Ｃ16であり、ｎは、約１〜６であり、Ｍは、ナトリウムである。
【０１２３】
アルキルエーテルスルフェートは一般に、変化するＲ’鎖長および変化する程度のエトキシ化を含む混合物の形態で使用される。このような混合物は、いくつかの非エトキシ化アルキルスルフェート材料、すなわち、上記のエトキシ化アルキルスルフェートの処方（ｎ＝０である）の界面活性剤を必然的にまた含有することが多い。非エトキシ化アルキルスルフェートはまた、本発明の組成物に別々に加えてもよく、そのまま、または存在してもよい任意のアニオン性界面活性剤成分中で使用してもよい。非アルコキシル化、例えば、非エトキシ化アルキルエーテルスルフェート界面活性剤の具体例は、高級Ｃ8〜Ｃ20脂肪アルコールの硫酸化によって生成されるものである。通常の第一級アルキルスルフェート界面活性剤は、一般式：ＲＯＳＯ3−Ｍ+（Ｒは典型的には、直鎖または分枝鎖でもよい、直鎖状Ｃ8〜Ｃ20ヒドロカルビル基であり、Ｍは、水溶性カチオンである）を有する。一側面において、Ｒは、Ｃ10〜Ｃ15アルキルであり、Ｍは、アルカリ金属であり、さらに具体的には、Ｒは、Ｃ12〜Ｃ14であり、Ｍは、ナトリウムである。
【０１２４】
本明細書において有用なアニオン性界面活性剤の特定の非限定的例には、ａ）Ｃ11〜Ｃ18アルキルベンゼンスルホネート（ＬＡＳ）；ｂ）Ｃ10〜Ｃ20第一級、分枝鎖およびランダムアルキルスルフェート（ＡＳ）；ｃ）式（Ｉ）および（II）（式（Ｉ）および（II）におけるＭは、水素、または電荷の中立性を提供するカチオンであり、全てのＭ単位は、界面活性剤または補助剤成分と関連しているかに関わらず、当業者によって単離された形態、または化合物が使用される系の相対的ｐＨによって、水素原子またはカチオンのいずれかでよく、適切なカチオンの非限定的例には、ナトリウム、カリウム、アンモニウム、およびこれらの混合物が含まれ、ｘは、少なくとも約７、または少なくとも約９の整数であり、ｙは、少なくとも８、または少なくとも約９の整数である）を有するＣ10〜Ｃ18第二級（２，３）アルキルスルフェート；ｄ）Ｃ10〜Ｃ18アルキルアルコキシスルフェート（ＡＥxＳ）（ｘは、１〜３０である）；ｅ）一側面において、１〜５個のエトキシ単位を含むＣ10〜Ｃ18アルキルアルコキシカルボキシレート；ｆ）米国特許第６，０２０，３０３号および米国特許第６，０６０，４４３号において考察されているような中鎖分枝状アルキルスルフェート；ｇ）米国特許第６，００８，１８１号および米国特許第６，０２０，３０３号において考察されているような中鎖分枝状アルキルアルコキシスルフェート；ｈ）ＷＯ９９／０５２４３、ＷＯ９９／０５２４２、ＷＯ９９／０５２４４、ＷＯ９９／０５０８２、ＷＯ９９／０５０８４、ＷＯ９９／０５２４１、ＷＯ９９／０７６５６、ＷＯ００／２３５４９、およびＷＯ００／２３５４８において考察されているような修飾アルキルベンゼンスルホネート（ＭＬＡＳ）；ｉ）メチルエステルスルホネート（ＭＥＳ）；ならびにｊ）α−オレフィンスルホネート（ＡＯＳ）が含まれる。
【０１２５】
本明細書において有用な適切な非イオン性界面活性剤は、液体洗剤生成物において典型的には使用される通常の非イオン性界面活性剤タイプのいずれかを含むことができる。これらには、アルコキシル化脂肪アルコールおよびアミンオキシド界面活性剤が含まれる。一側面において、本明細書における液体洗剤生成物における使用のために、通常液体であるこれらの非イオン性界面活性剤がある。
【０１２６】
本明細書において使用するための適切な非イオン性界面活性剤には、アルコールアルコキシレート非イオン性界面活性剤が含まれる。アルコールアルコキシレートは、一般式：Ｒ1（ＣmＨ2mＯ）nＯＨ（式中、Ｒ1は、Ｃ8〜Ｃ16アルキル基であり、ｍは、２〜４であり、ｎは、約２〜１２の範囲である）に相当する材料である。一側面において、Ｒ1は、約９〜１５個の炭素原子、または約１０〜１４個の炭素原子を含む、第一級または第二級でもよいアルキル基である。一側面において、アルコキシル化脂肪アルコールはまた、１分子当たり約２〜１２個のエチレンオキシド部分、または１分子当たり約３〜１０個のエチレンオキシド部分を含有するエトキシ化材料である。
【０１２７】
本明細書における液体洗剤組成物において有用なアルコキシル化脂肪アルコール材料は、約３〜１７、約６〜１５、または約８〜１５の範囲である親水性−親油性バランス（ＨＬＢ）を有することが多い。アルコキシル化脂肪アルコール非イオン性界面活性剤は、商品名ＮｅｏｄｏｌおよびＤｏｂａｎｏｌでＳｈｅｌｌ  Ｃｈｅｍｉｃａｌ  Ｃｏｍｐａｎｙによって市販されてきた。
【０１２８】
本明細書において有用な非イオン性界面活性剤の別の適切なタイプは、アミンオキシド界面活性剤を含む。アミンオキシドは、当技術分野で「半極性」非イオン性として言及されることが多い材料である。アミンオキシドは、式：Ｒ（ＥＯ）x（ＰＯ）y（ＢＯ）zＮ（Ｏ）（ＣＨ2Ｒ’）2・ｑＨ2Ｏを有する。この式において、Ｒは、飽和または不飽和の、直鎖状または分枝状でよい相対的に長鎖ヒドロカルビル部分であり、８〜２０個、１０〜１６個の炭素原子を含有することができ、またはＣ12〜Ｃ16第一級アルキルである。Ｒ’は、短鎖部分であり、一側面において、Ｒ’は、水素、メチルおよび−ＣＨ2ＯＨから選択してもよい。ｘ＋ｙ＋ｚが０と異なるとき、ＥＯは、エチレンオキシであり、ＰＯは、プロピレンオキシであり、ＢＯは、ブチレンオキシである。アミンオキシド界面活性剤は、Ｃ12~14アルキルジメチルアミンオキシドによって例示される。
【０１２９】
非イオン性界面活性剤の非限定的例には、ａ）Ｃ12〜Ｃ18アルキルエトキシレート、例えば、ＳｈｅｌｌからのＮＥＯＤＯＬ（登録商標）非イオン性界面活性剤；ｂ）Ｃ6〜Ｃ12アルキルフェノールアルコキシレート（アルコキシレート単位は、エチレンオキシおよびプロピレンオキシ単位の混合物である）；ｃ）エチレンオキシド／プロピレンオキシドブロックポリマーとのＣ12〜Ｃ18アルコールおよびＣ6〜Ｃ12アルキルフェノール縮合物、例えば、ＢＡＳＦからのＰｌｕｒｏｎｉｃ（登録商標）；ｄ）米国特許第６，１５０，３２２号において考察されているようなＣ14〜Ｃ22中鎖分枝状アルコール、ＢＡ；ｅ）米国特許第６，１５３，５７７号、米国特許第６，０２０，３０３号および米国特許第６，０９３，８５６号において考察されているようなＣ14〜Ｃ22中鎖分枝状アルキルアルコキシレート、ＢＡＥx（ｘは、１〜３０である）；ｆ）１９８６年１月２６日に発行されたＬｌｅｎａｄｏへの米国特許第４，５６５，６４７号において考察されているようなアルキル多糖類；特に、米国特許第４，４８３，７８０号および米国特許第４，４８３，７７９号において考察されているようなアルキルポリグリコシド；ｇ）米国特許第５，３３２，５２８号、ＷＯ９２／０６１６２、ＷＯ９３／１９１４６、ＷＯ９３／１９０３８、およびＷＯ９４／０９０９９において考察されているようなポリヒドロキシ脂肪酸アミド；ならびにｈ）米国特許第６，４８２，９９４号およびＷＯ０１／４２４０８において考察されているようなエーテルキャップされたポリ（オキシアルキル化）アルコール界面活性剤が含まれる。
【０１３０】
本明細書における洗濯用洗剤組成物において、洗浄性界面活性剤成分は、アニオン性および非イオン性界面活性剤材料の組合せを含んでもよい。これに当てはまるとき、アニオン性と非イオン性との重量比は典型的には、１０：９０〜９０：１０、より典型的には３０：７０〜７０：３０の範囲である。
【０１３１】
カチオン性界面活性剤は当技術分野で周知であり、これらの非限定的例には、２６個までの炭素原子を有することができる第四級アンモニウム界面活性剤が含まれる。さらなる例には、ａ）米国特許第６，１３６，７６９号において考察されているようなアルコキシレート第四級アンモニウム（ＡＱＡ）界面活性剤；ｂ）米国特許第６，００４，９２２号において考察されているようなジメチルヒドロキシエチル第四級アンモニウム；ｃ）ＷＯ９８／３５００２、ＷＯ９８／３５００３、ＷＯ９８／３５００４、ＷＯ９８／３５００５、およびＷＯ９８／３５００６において考察されているようなポリアミンカチオン性界面活性剤；ｄ）米国特許第４，２２８，０４２号、同第４，２３９，６６０号、同第４，２６０，５２９号および米国特許第６，０２２，８４４号において考察されているようなカチオン性エステル界面活性剤；ならびにｅ）米国特許第６，２２１，８２５号およびＷＯ００／４７７０８において考察されているようなアミノ界面活性剤、特に、アミドプロピルジメチルアミン（ＡＰＡ）が含まれる。
【０１３２】
双性イオン性界面活性剤の非限定的例には、第二級および第三級アミンの誘導体、複素環式第二級および第三級アミンの誘導体、または第四級アンモニウム、第四級ホスホニウムもしくは第三級スルホニウム化合物の誘導体が含まれる。双性イオン性界面活性剤；ベタイン（アルキルジメチルベタインおよびココジメチルアミドプロピルベタインを含めた）、Ｃ8〜Ｃ18（一側面において、Ｃ12〜Ｃ18）アミンオキシド、ならびにスルホおよびヒドロキシベタイン、例えば、Ｎ−アルキル−Ｎ，Ｎ−ジメチルアミノ−１−プロパンスルホネート（アルキル基は、Ｃ8〜Ｃ18、またはＣ10〜Ｃ14でよい）の例については、１９７５年１２月３０日に発行されたＬａｕｇｈｌｉｎらへの米国特許第３，９２９，６７８号の第１９欄、第３８行から第２２欄、第４８行までを参照されたい。
【０１３３】
両性電解質界面活性剤の非限定的例には、第二級もしくは第三級アミンの脂肪族誘導体、または複素環式第二級および第三級アミンの脂肪族誘導体が含まれ、脂肪族ラジカルは、直鎖または分枝鎖でよい。脂肪族置換基の１つは、少なくとも約８個の炭素原子、典型的には約８〜約１８個の炭素原子を含み、少なくとも１つは、アニオン性水溶性基、例えば、カルボキシ、スルホネート、スルフェートを含む。両性電解質界面活性剤の例については、１９７５年１２月３０日に発行されたＬａｕｇｈｌｉｎらへの米国特許第３，９２９，６７８号、第１９欄、第１８〜３５行を参照されたい。
【０１３４】
［水性の表面活性ではない液体担体］
上述の通り、洗濯ケア組成物は、これらに限定されないが、粒子、フレーク、シートなどを含めた、錠剤または微粒子形態のいずれかの固体の形態でよく、あるいは組成物は、液体の形態でよい。液体洗剤組成物は、水性の表面活性ではない液体担体を含んでもよい。一般に、本明細書における組成物において用いられる水性の表面活性ではない液体担体の量は、組成物成分を可溶化、懸濁または分散させるのに有効である。例えば、液体洗剤組成物は、総液体洗剤組成物の重量に基づいて、約５％〜約９０％、約１０％〜約７０％、または約２０％〜約７０％の水性の表面活性ではない液体担体を含んでもよい。
【０１３５】
最も対費用効果の高いタイプの水性の表面活性ではない液体担体は、典型的には水である。したがって、水性の表面活性ではない液体担体成分一般に、完全ではないにしても大部分が水からなる。他のタイプの水混和性液体（アルカノール、ジオール、他のポリオール、エーテル、アミンなど）を、本発明の目的のために液体洗剤組成物に共溶媒または安定剤として従来通りに加えた一方で、このような水混和性液体の利用を典型的には最小化して、組成物の費用を押さえる。したがって、本明細書における液体洗剤生成物の水性液体担体成分は一般に、液体洗剤組成物の重量によって、約５％〜約９０％、または約５％〜約７０％の範囲の濃度で存在する水を含む。
【０１３６】
［漂白剤］
漂白剤−本発明の浄化組成物は、１種以上の漂白剤を含んでもよい。漂白触媒以外の適切な漂白剤には、光脱色剤、漂白活性化剤、過酸化水素、過酸化水素の源、事前形成された過酸およびこれらの混合物が含まれる。一般に、漂白剤が使用されるとき、本発明の組成物は、対象浄化組成物の重量によって、約０．１％〜約５０％またはさらには約０．１％〜約２５％の漂白剤を含んでもよい。適切な漂白剤の例には、以下が含まれる。
【０１３７】
（１）光脱色剤、例えば、スルホン化亜鉛フタロシアニン；
（２）事前形成された過酸：適切な事前形成された過酸には、これらに限定されないが、過カルボン酸および塩、過炭酸および塩、ペルイミド酸および塩、ペルオキシ一硫酸および塩、例えば、Ｏｘｚｏｎｅ（登録商標）、ならびにこれらの混合物からなる群から選択される化合物が含まれる。適切な過カルボン酸は、式Ｒ−（Ｃ＝Ｏ）Ｏ−Ｏ−Ｍ（式中、Ｒは、過酸が疎水性であるとき、６〜１４個の炭素原子、または８〜１２個の炭素原子を有し、過酸が親水性であるとき、６個未満の炭素原子、またはさらには４個未満の炭素原子を有する任意に分枝状でもよいアルキル基であり、Ｍは、対イオン、例えば、ナトリウム、カリウムまたは水素である）を有する疎水性および親水性の過酸を含む。
【０１３８】
（３）過酸化水素の源、例えば、アルカリ金属塩、例えば、過ホウ酸のナトリウム塩（通常、一水和物または四水和物）、過炭酸塩、過硫酸塩、過リン酸塩、過ケイ酸塩およびこれらの混合物を含めた無機過水和物（ｐｅｒｈｙｄｒａｔｅ）塩。本発明の一側面において、無機水和物塩は、過ホウ酸のナトリウム塩、過炭酸塩およびこれらの混合物からなる群から選択される。用いられるとき、無機水和物塩は典型的には、全体的組成物の０．０５〜４０重量％、または１〜３０重量％の量で存在し、このような組成物中に、コーティングされていてもよい結晶性固体として典型的には組み込まれる。適切なコーティングには、無機塩、例えば、ケイ酸、炭酸またはホウ酸アルカリ金属塩もしくはこれらの混合物、または有機材料、例えば、水溶性もしくは分散性ポリマー、ワックス、油もしくは脂肪石鹸が含まれる。
【０１３９】
（４）Ｒ−（Ｃ＝Ｏ）−Ｌ（Ｒは、漂白活性化剤が疎水性であるとき、６〜１４個の炭素原子、または８〜１２個の炭素原子を有し、漂白活性化剤が親水性であるとき、６個未満の炭素原子、またはさらには４個未満の炭素原子を有する任意に分枝状でもよいアルキル基であり、Ｌは、脱離基である）を有する漂白活性化剤。適切な脱離基の例は、安息香酸およびその誘導体、特に、ベンゼンスルホネートである。適切な漂白活性化剤には、ドデカノイルオキシベンゼンスルホネート、デカノイルオキシベンゼンスルホネート、デカノイルオキシ安息香酸またはその塩、３，５，５−トリメチルヘキサノイルオキシベンゼンスルホネート、テトラアセチルエチレンジアミン（ＴＡＥＤ）およびノナノイルオキシベンゼンスルホネート（ＮＯＢＳ）が含まれる。適切な漂白活性化剤はまた、ＷＯ９８／１７７６７に開示されている。任意の適切な漂白活性化剤を用いてもよい一方で、本発明の一側面において、対象浄化組成物は、ＮＯＢＳ、ＴＡＥＤまたはこれらの混合物を含んでもよい。
【０１４０】
存在するとき、過酸および／または漂白活性化剤は一般に、組成物をベースとして、組成物中に約０．１〜約６０重量％、約０．５〜約４０重量％、またはさらには約０．６〜約１０重量％の量で存在する。１種以上の疎水性過酸またはその前駆体を、１種以上の親水性過酸またはその前駆体と組み合わせて使用してもよい。
【０１４１】
過酸化水素源および過酸または漂白活性化剤の量は、利用可能な酸素（過酸化物源から）と過酸とのモル比が、１：１〜３５：１、またはさらには２：１〜１０：１であるように選択することができる。
【０１４２】
漂白補強化合物−本明細書における組成物は、１種以上の漂白補強化合物を含んでもよい。漂白補強化合物は、より低い温度での塗布において漂白の有効性の増加を実現する。漂白補強剤は、通常の過酸素漂白源と併せて作用し、漂白の有効性の増加を実現する。これは、活性酸素移動剤、例えば、ジオキシラン、オキサジリジン、またはオキサジリジニウムのインサイチュの形成によって通常達成される。代わりに、事前形成されたジオキシラン、オキサジリジンおよびオキサジリジニウムを使用してもよい。
【０１４３】
本発明による使用のための適切な漂白補強化合物の中には、カチオン性イミン、双性イオン性イミン、アニオン性イミンおよび／または約＋３〜約−３の実効電荷を有するポリイオン性イミン、およびこれらの混合物がある。これらの本発明のイミン漂白補強化合物は、一般構造のものを含み、
【化２２】
2015500888.tif 000064
【０１４４】
式中、Ｒ1〜Ｒ4は、水素、またはフェニル、アリール、複素環、アルキルおよびシクロアルキルラジカルからなる群から選択される無置換もしくは置換ラジカルでよい。
【０１４５】
適切な漂白補強化合物には、米国特許第５，５７６，２８２号および同第５，７１８，６１４号に記載されている、双性イオン性漂白補強剤が含まれる。他の漂白補強化合物には、米国特許第５，３６０，５６９号；同第５，４４２，０６６号；同第５，４７８，３５７号；同第５，３７０，８２６号；同第５，４８２，５１５号；同第５，５５０，２５６号；ならびにＷＯ９５／１３３５１、ＷＯ９５／１３３５２、およびＷＯ９５／１３３５３に記載される、カチオン性漂白補強剤が含まれる。
【０１４６】
過酸素源は当技術分野において周知であり、本発明において用いられる過酸素源は、過酸素化合物、および消費者の使用条件下で、有効量の過酸素をインサイチュで提供する化合物を含めた、これらの周知の源のいずれかを含んでもよい。過酸素源は、過酸化水素源、過酸化水素源と漂白活性化剤との反応による過酸アニオンのインサイチュでの形成、事前形成された過酸化合物または適切な過酸素源の混合物を含めてもよい。当然ながら、過酸素の他の源を、本発明の範囲から逸脱することなく用いてもよいことを当業者は認識するであろう。漂白補強化合物は典型的には、存在するとき、本発明の漂白系において過酸素源と併せて用いられる。
【０１４７】
酵素漂白−酵素系を、漂白剤として使用してもよい。過酸化水素はまた、洗浄および／またはすすぎ工程の初めまたは間に過酸化水素を生じさせることができる酵素系（すなわち、したがって酵素および基質）を加えることによって存在してもよい。このような酵素系は、１９９１年１０月９日に出願されたＥＰ特許出願第９１２０２６５５．６号に開示されている。
【０１４８】
本発明の組成物および方法は、代替の漂白系、例えば、オゾン、二酸化塩素などを利用してもよい。オゾンによる漂白は、約２０〜約３００ｇ／ｍ3のオゾン含量を有するオゾン含有ガスを、布帛と接触させる溶液中に導入することによって達成することができる。溶液中のガス：液体比は、約１：２．５〜約１：６で維持すべきである。米国特許第５，３４６、５８８号は、通常の漂白系への代替物としてのオゾンの利用のための方法を記載しており、参照により本明細書中に組み込まれている。
【０１４９】
一側面において、布帛柔軟化活性剤（「ＦＳＡ」）は、すすぎステップにおいて布帛を柔軟化するのに適している第四級アンモニウム化合物である。一側面において、ＦＳＡは、脂肪酸およびアミノアルコールの反応生成物から形成され、モノ、ジ、および、一側面において、トリエステル化合物の混合物が得られる。別の側面において、ＦＳＡは、１種以上の柔軟剤第四級アンモニウム化合物、例えば、これらだけに限定されないが、モノアルキル第四級アンモニウム化合物、ジアミド第四級化合物およびジエステル第四級アンモニウム化合物、またはこれらの組合せを含む。
【０１５０】
本発明の一側面において、ＦＳＡは、ジエステル第四級アンモニウム（本明細書において下記で「ＤＱＡ」）化合物組成物を含む。本発明の特定の側面において、ＤＱＡ化合物組成物はまた、ジアミドＦＳＡ、ならびに混合されたアミドおよびエステル結合、ならびに上記のジエステル結合を有するＦＳＡ（全て本明細書でＤＱＡと称する）の記載を包含する。
【０１５１】
本ＣＦＳＣにおいてＦＳＡとして適した第１のタイプのＤＱＡ（「ＤＱＡ（１）」）は、式を含む化合物を含み、
｛Ｒ4-m−Ｎ+−［（ＣＨ2）n−Ｙ−Ｒ1］m｝Ｘ-
式中、各Ｒ置換基は、水素、短鎖Ｃ1〜Ｃ6、例えば、Ｃ1〜Ｃ3アルキルまたはヒドロキシアルキル基、例えば、メチル、エチル、プロピル、ヒドロキシエチルなど、ポリ（Ｃ2~3アルコキシ）、例えば、ポリエトキシ基、ベンジル、またはこれらの混合物のいずれかであり、各ｍは、２または３であり、各ｎは、１〜約４、または２であり、各Ｙは、−Ｏ−（Ｏ）Ｃ−、−Ｃ（Ｏ）−Ｏ−、−ＮＲ−Ｃ（Ｏ）−、または−Ｃ（Ｏ）−ＮＲ−であり、各Ｙは、同じまたは異なることが許容され、各Ｒ1における炭素の合計（Ｙが−Ｏ−（Ｏ）Ｃ−または−ＮＲ−Ｃ（Ｏ）−であるとき、プラス１）は、Ｃ12〜Ｃ22、またはＣ14〜Ｃ20であり、各Ｒ1は、ヒドロカルビル、または置換ヒドロカルビル基であり、Ｒ1は、不飽和または飽和および分枝状または直鎖状であることが許容され、一側面において、Ｒ1は、直鎖状であり、各Ｒ1は、同じまたは異なることが許容され、典型的にはこれらは同じであり、Ｘ-は、任意の柔軟剤適合性のアニオンでもよく、適切なアニオンには、塩化物アニオン、臭化物アニオン、メチル硫酸アニオン、エチル硫酸アニオン、硫酸アニオン、リン酸アニオン、および硝酸アニオンが含まれ、一側面において、アニオンは、塩化物アニオンまたはメチル硫酸アニオンである。適切なＤＱＡ化合物は典型的には、アルカノールアミン、例えば、ＭＤＥＡ（メチルジエタノールアミン）およびＴＥＡ（トリエタノールアミン）と、脂肪酸とを反応させることによって製造される。このような反応から典型的にはもたらされるいくつかの材料には、Ｎ，Ｎ−ジ（アシル−オキシエチル）−Ｎ，Ｎ−ジメチルアンモニウムクロリドまたはＮ，Ｎ−ジ（アシル−オキシエチル）−Ｎ，Ｎ−メチルヒドロキシエチルアンモニウムメチルスルフェートが含まれ、アシル基は、動物脂肪、不飽和および多価不飽和の脂肪酸、例えば、獣脂、硬化獣脂、オレイン酸、および／または植物性油に由来する部分水素化脂肪酸、および／または部分水素化植物性油、例えば、キャノーラ油、サフラワー油、落花生油、ヒマワリ油、トウモロコシ油、ダイズ油、トール油、米ぬか油、パーム油などに由来する。
【０１５２】
適切な脂肪酸の非限定的例は、米国特許第５，７５９，９９０号の第４欄、第４５〜６６行に一覧表示されている。一側面において、ＦＳＡは、ＤＱＡ（１）またはＤＱＡに加えて他の活性剤を含む。さらに別の側面において、ＦＳＡは、ＤＱＡ（１）またはＤＱＡのみを含み、任意の他の第四級アンモニウム化合物または他の活性剤を含まず、または本質的に含まない。さらに別の側面において、ＦＳＡは、ＤＱＡを生成するために使用される前駆体アミンを含む。
【０１５３】
本発明の別の側面において、ＦＳＡは、式を含むＤＴＴＭＡＣとして同定される化合物を含み、
［Ｒ4-m−Ｎ(+)−Ｒ1m］Ａ-
式中、各ｍは、２または３であり、各Ｒ1は、Ｃ6〜Ｃ22、またはＣ14〜Ｃ20であるが、１個以下は約Ｃ12未満であり、次いで他は、少なくとも約１６、ヒドロカルビル、または置換ヒドロカルビル置換基、例えば、Ｃ10〜Ｃ20アルキルまたはアルケニル（また「アルキレン」とも称されることがある、多価不飽和アルキルを含めた不飽和アルキル）、一側面において、Ｃ12〜Ｃ18アルキルまたはアルケニル、および分岐状または非分岐状である。一側面において、ＦＳＡのヨウ素価（ＩＶ）は、約１〜７０であり、各Ｒは、Ｈまたは短鎖Ｃ1〜Ｃ6、もしくはＣ1〜Ｃ3アルキルまたはヒドロキシアルキル基、例えば、メチル、エチル、プロピル、ヒドロキシエチルなど、ベンジル、または（Ｒ2Ｏ）2~4Ｈ（各Ｒ2は、Ｃ1~6アルキレン基である）であり、Ａ-は、柔軟剤適合性アニオンであり、適切なアニオンには、塩化物アニオン、臭化物アニオン、メチル硫酸アニオン、エチル硫酸アニオン、硫酸アニオン、リン酸アニオン、または硝酸アニオンが含まれ、一側面において、アニオンは、塩化物アニオンまたはメチルスルフェートである。
【０１５４】
これらのＦＳＡの例には、ジアルキルジメチルアンモニウム塩およびジアルキレンジメチルアンモニウム塩、例えば、ジ獣脂ジメチルアンモニウムおよびジ獣脂ジメチルアンモニウムメチルスルフェートが含まれる。本発明において使用可能な市販のジアルキレンジメチルアンモニウム塩の例は、Ｄｅｇｕｓｓａからそれぞれ商品名Ａｄｏｇｅｎ（登録商標）４４２およびＡｄｏｇｅｎ（登録商標）４７０で入手可能なジ水素化獣脂ジメチルアンモニウムクロリドおよびジ獣脂ジメチルアンモニウムクロリドである。一側面において、ＦＳＡは、ＤＴＴＭＡＣに加えて他の活性剤を含む。さらに別の側面において、ＦＳＡは、ＤＴＴＭＡＣの化合物のみを含み、任意の他の第四級アンモニウム化合物または他の活性剤を有さず、または本質的に有さない。
【０１５５】
一側面において、ＦＳＡは、２００４年１０月１４日に公表されたＣｏｒｏｎａらへの米国特許出願公開第２００４／０２０４３３７Ａ１号、第３０〜７９段落に記載されているＦＳＡを含む。別の側面において、ＦＳＡは、２００５年１１月１８日に公開されたＳｍｉｔｈらへの米国特許出願公開第２００４／０２２９７６９Ａ１号、第２６〜３１段落；または米国特許第６，４９４，９２０号、第１欄、第５１行以下（「エステルクアット」または四級化された脂肪酸トリエタノールアミンエステル塩を詳述している）に記載されているものである。
【０１５６】
一側面において、ＦＳＡは、下記の少なくとも１つから選択される。ジ獣脂オイルオキシエチルジメチルアンモニウムクロリド、ジ水素化−獣脂オイルオキシエチルジメチルアンモニウムクロリド、ジ獣脂ジメチルアンモニウムクロリド、ジ獣脂オイルオキシエチルジメチルアンモニウムメチルスルフェート、ジ水素化−獣脂オイルオキシエチルジメチルアンモニウムクロリド、ジ水素化−獣脂オイルオキシエチルジメチルアンモニウムクロリド、またはこれらの組合せ。
【０１５７】
一側面において、ＦＳＡはまた、アミド含有化合物組成物を含んでもよい。ジアミドを含む化合物の例は、これらに限定されないが、メチル−ビス（獣脂アミドエチル）−２−ヒドロキシエチルアンモニウムメチルスルフェート（Ｄｅｇｕｓｓａから商品名Ｖａｒｉｓｏｆｔ１１０およびＶａｒｉｓｏｆｔ２２２で入手可能）を含んでもよい。アミド−エステル含有化合物の一例は、Ｎ−［３−（ステアロイルアミノ）プロピル］−Ｎ−［２−（ステアロイルオキシ）エトキシ）エチル）］−Ｎ−メチルアミンである。
【０１５８】
本発明の別の側面は、カチオン性デンプンをさらに含むリンスを加えた布帛柔軟化組成物を提供する。カチオン性デンプンは、ＵＳ２００４／０２０４３３７Ａ１に開示されている。一側面において、リンスを加えた布帛柔軟化組成物は、布帛柔軟化組成物の重量によって、約０．１％〜約７％のカチオン性デンプンを含む。一側面において、カチオン性デンプンは、Ｎａｔｉｏｎａｌ  ＳｔａｒｃｈからのＨＣＰ４０１である。
【０１５９】
ビルダー−本発明の組成物は、１種以上の洗剤ビルダーまたはビルダー系を含むことができる。存在するとき、組成物は典型的には、少なくとも約１％のビルダー、または約５％、または１０％〜約８０％、５０％、またはさらには３０重量％の前記ビルダーを含む。ビルダーには、これらに限定されないが、アルカリ金属、ポリリン酸のアンモニウムおよびアルカノールアンモニウム塩、ケイ酸アルカリ金属塩、炭酸アルカリ土類およびアルカリ金属塩、アルミノシリケートビルダーポリカルボキシレート化合物、エーテルヒドロキシポリカルボキシレート、無水マレイン酸とエチレンまたはビニルメチルエーテルとのコポリマー、１，３，５−トリヒドロキシベンゼン−２，４，６−トリスルホン酸、およびカルボキシメチル−オキシコハク酸、種々のアルカリ金属、ポリ酢酸のアンモニウムならびに置換アンモニウム塩、例えば、エチレンジアミン四酢酸ならびにニトリロ三酢酸、およびポリカルボキシレート、例えば、メリト酸、コハク酸、オキシジコハク酸、ポリマレイン酸、ベンゼン１，３，５−トリカルボン酸、カルボキシメチルオキシコハク酸、ならびにその可溶性塩が含まれる。
【０１６０】
キレート剤−本明細書における組成物はまた、１種以上の銅、鉄および／またはマンガンキレート剤を任意に含有してもよい。利用する場合、キレート剤は一般に、本明細書における組成物の約０．１重量％〜約１５重量％、またはさらには本明細書における組成物の約３．０重量％〜約１５重量％を構成する。
【０１６１】
色素移動阻害剤−本発明の組成物はまた、１種以上の色素移動阻害剤を含んでもよい。適切なポリマー色素移動阻害剤には、これらに限定されないが、ポリビニルピロリドンポリマー、ポリアミンＮ−オキシドポリマー、Ｎ−ビニルピロリドンとＮ−ビニルイミダゾールとのコポリマー、ポリビニルオキサゾリドンおよびポリビニルイミダゾールまたはこれらの混合物が含まれる。本明細書における組成物において存在するとき、色素移動阻害剤は、浄化組成物の約０．０００１重量％から、約０．０１重量％から、約０．０５重量％から、浄化組成物の約１０重量％まで、約２重量％まで、またはさらには約１重量％までのレベルで存在する。
【０１６２】
分散剤−本発明の組成物はまた、分散剤を含有することができる。適切な水溶性有機材料は、ホモ−もしくはコ−ポリマー酸またはこれらの塩であり、ポリカルボン酸は、２個以下の炭素原子によって互いに分離している少なくとも２個のカルボキシルラジカルを含んでもよい。
【０１６３】
酵素−組成物は、浄化性能および／または布帛ケアの利点を実現する１種以上の洗剤酵素を含むことができる。適切な酵素の例には、これらに限定されないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、およびアミラーゼ、またはこれらの混合物が含まれる。典型的な組合せは、通常の適用可能な酵素のカクテル（例えば、アミラーゼと併せたプロテアーゼ、リパーゼ、クチナーゼおよび／またはセルラーゼ）である。
【０１６４】
酵素安定剤−組成物、例えば、洗剤において使用するための酵素は、種々の技術によって安定化させることができる。本明細書において用いられる酵素は、最終組成物におけるカルシウムおよび／またはマグネシウムイオンの水溶性源（このようなイオンを酵素に与える）の存在によって安定化させることができる。
【０１６５】
［洗濯ケア組成物を作製する方法］
本発明の洗濯ケア組成物は、配合者が任意の適切な形態に配合することができ、選択した任意の方法によって調製することができ、この非限定的例は、本出願人等の例において、およびＵＳ５，８７９，５８４；ＵＳ５，６９１，２９７；ＵＳ５，５７４，００５；ＵＳ５，５６９，６４５；ＵＳ５，５６５，４２２；ＵＳ５，５１６，４４８；ＵＳ５，４８９，３９２；ＵＳ５，４８６，３０３（これらの全ては、参照により本明細書中に組み込まれている）において記載されている。
【０１６６】
液体洗剤組成物は、界面活性剤、色相剤、および特定の任意選択の他の成分の、水溶液または均一な分散液もしくは懸濁液の形態であってもよく、これらのいくつかは、組成物の通常液体成分、例えば、非イオン性液体アルコールエトキシレート、水性液体担体、および任意の他の通常液体の任意選択の成分と合わせた、通常固体形態でよい。このような溶液、分散液または懸濁液は許容されるように相安定性であり、約１００〜６００ｃｐｓ、または約１５０〜４００ｃｐｓの範囲の粘度を典型的には有する。本発明の目的のために、粘度は、＃２１のスピンドルを使用してＢｒｏｏｋｆｉｅｌｄ  ＬＶＤＶ−ＩＩ＋粘度計装置で測定する。
【０１６７】
本明細書における液体洗剤組成物は、任意の便利な順序でその成分を合わせることによって、およびこのように得られた成分の組合せを混合、例えば、撹拌して、相安定的な液体洗剤組成物を形成させることによって調製することができる。このような組成物を調製するための方法において、液体成分、例えば、非イオン性界面活性剤、表面活性ではない液体担体および他の任意選択の液体成分の少なくとも主要な割合、またはさらには実質的に全てを含有する液体マトリックスが形成され、液体成分を、この液体の組合せに剪断撹拌を付与することによって完全に混合する。例えば、機械式撹拌機による高速撹拌を有用に用いてもよい。剪断撹拌を維持する一方で、任意のアニオン性界面活性剤および固体形態成分の実質的に全てを加えることができる。混合物の撹拌を続け、必要に応じてこの時点で増加させて、液相において不溶性固相微粒子の溶液または均一な分散液を形成することができる。固体形態の材料のいくらかまたは全てをこの撹拌した混合物に加えた後、含める任意の酵素材料の粒子、例えば、酵素プリルを組み込む。本明細書において上記で記載した組成物の調製手順の変形として、１種以上の固体成分を、１種以上の液体成分の微量部分と予備混合した粒子の溶液またはスラリーとして、撹拌した混合物に加えてもよい。組成物構成分の全てを添加した後、必要な粘度および相安定性の特徴を有する組成物を形成するのに十分な期間、混合物の撹拌を続ける。これは約３０〜６０分の期間の撹拌を伴うことが多い。
【０１６８】
液体洗剤組成物を形成する一側面において、色相剤を１種以上の液体成分と最初に合わせ、色相剤予備混合物を形成させ、この色相剤予備混合物を、洗濯用洗剤組成物の成分の残余の実質的な部分、例えば、５０重量％超、さらに具体的には、７０重量％超、およびまたさらに具体的には９０重量％超を含有する組成物配合物に加える。例えば、上記の方法論において、色相剤予備混合物および酵素成分の両方は、成分添加の最終段階において加える。別の側面において、色相剤を洗剤組成物への添加の前にカプセル化し、カプセル化された色相剤を構造化液体に懸濁させ、懸濁液を、洗濯用洗剤組成物の成分の残余の実質的な部分を含有する組成物配合物に加える。
【０１６９】
上記のように、洗剤組成物は固体形態でよい。適切な固体形態には、錠剤および微粒子の形態、例えば、顆粒状粒子、フレークまたはシートが含まれる。このような固体形態で洗剤組成物を形成させるための種々の技術は当技術分野で周知であり、本明細書において使用してもよい。一側面において、例えば、組成物が顆粒状粒子の形態にあるとき、色相剤は、洗濯用洗剤組成物の全てとは限らないがさらなる成分を任意に含んでもよい微粒子形態で提供される。色相剤微粒子を、洗濯用洗剤組成物の成分の残余を含有する１種以上のさらなる微粒子と合わせる。さらに、洗濯用洗剤組成物の全てとは限らないがさらなる成分を任意に含んでもよい色相剤は、カプセル化形態で提供してもよく、色相剤のカプセル化物を、洗濯用洗剤組成物の成分の実質的な残余を含有する微粒子と合わせる。
【０１７０】
本明細書において上記で記載したように調製された本発明の組成物を使用して、布帛の洗濯において使用するための洗浄水溶液を形成することができる。一般に、有効量のこのような組成物を、例えば、通常の布帛洗濯用自動洗濯機中で水に加え、このような洗濯水溶液を形成させる。次いで、このように形成された洗浄水溶液を、典型的には撹拌しながら、それによって洗濯する布帛と接触させる。洗濯水溶液を形成するために水に加える有効量の本明細書における液体洗剤組成物は、洗浄水溶液中で約５００〜７，０００ｐｐｍの組成物を形成させるのに十分な量を含むことができ、または約１，０００〜３，０００ｐｐｍの本明細書における洗剤組成物を、洗浄水溶液中で提供する。
【０１７１】
［使用方法］
本明細書において開示されている消費者製品のいくつかを使用して、部位、とりわけ、表面または布帛を浄化または処理することができる。典型的には、部位の少なくとも１つのポーションを、未希釈形態の本出願人等の消費者製品の一態様と接触させ、または液、例えば、洗浄液に希釈し、次いで、部位を任意に洗浄および／またはすすいでもよい。一側面において、部位を任意に洗浄および／またはすすぎ、消費者製品の一側面と接触させ、次いで、任意に洗浄および／またはすすいでもよい。本発明の目的のために、洗浄には、これらに限定されないが、スクラビング、および機械的撹拌が含まれる。布帛は、通常の消費者の使用条件で洗濯または処理することができる大部分の任意の布帛を含んでもよい。開示されている組成物を含んでもよい液は、約３〜約１１．５のｐＨを有してもよい。このような組成物は典型的には、溶液中で約５００ｐｐｍ〜約１５，０００ｐｐｍの濃度で用いられる。洗浄溶媒が水であるとき、水の温度は典型的には、約５℃〜約９０℃の範囲であり、部位が布帛で構成されるとき、水と布帛との比は典型的には、約１：１〜約３０：１である。上記の方法の１つ以上を用いることによって、処理された部位が生じる。
【０１７２】
一側面において、前記表面または布帛を任意に洗浄および／またはすすぎ、前記表面または布帛とこの明細書において開示されている任意の洗濯ケア組成物とを接触させ、次いで前記表面および／または布帛を任意に洗浄および／またはすすぎ、次いで前記表面または布帛を任意に乾燥させ、かつ／または前記表面または布帛を積極的に乾燥させるステップを含む、表面または布帛を処理および／または浄化する方法を開示する。
【０１７３】
［例］
下記の例を本発明の色相剤をさらに例示するために提示する。しかし、これらは、本明細書に添付の特許請求に定義されているような本発明を制限すると解釈されない。実際は、様々な改変および変形を、本発明の範囲または精神を逸脱することなく、本発明において行うことができることは当業者には明らかであろう。これらの例において提示する全ての部およびパーセントは、他に示さない限り重量による。
【０１７４】
［試料の生成および試験法］
Ａ．試料の生成
下記の一般手順を使用して、本発明のチオフェンアゾ色素を生成した。
【０１７５】
グリシドール材料の生成
【化２３】
2015500888.tif 000065
【０１７６】
１８部のＮ−エチル−ｍ−トルイジン、５２部のイソプロピル−グリシジルエーテル、および５０部のトルエンを、２００ｍＬの丸底フラスコ中に室温で充填した。混合物を一晩還流させた。溶媒を除去し、このように得られた材料を次のステップのために粗製物で使用した。次いで、これらの材料を、本明細書に記載のようにアルコキシル化した。
【０１７７】
アルコキシル化中間体の生成
アルコキシル化のための一般手順−方法Ａ：
中間体タイプ１、最初のシングルサイトポリマー
【化２４】
2015500888.tif 000066
【０１７８】
１８部のＮ−エチル−ｍ−トルイジン、１４部の酢酸、および２０部の水を、２００ｍＬのステンレス鋼オートクレーブ中に室温で充填した。１１部のエチレンオキシドを数時間に亘って加えた。反応を室温で２４時間保持した後、容器に０．２部のＮａＯＨを充填し、１２５℃に加熱した。次いで、エチレンオキシドを約１時間に亘って加えた。反応を１２５℃でさらに３時間続けた後、残留するＥＯを真空によって除去した。次いで、これを室温に冷却し、得られた中間体はこはく色の粘稠液体であった。ＥＯの一定の平均数は、合成におけるエチレンオキシドの量を制御することによって毎回達成することができた。
【０１７９】
中間体タイプ２、最初の２本鎖ポリマー
【化２５】
2015500888.tif 000067
【０１８０】
１８部の２−メトキシ−５−メチルアニリン、１４部の酢酸、および２０部の水を、２００ｍＬのステンレス鋼オートクレーブ中に室温で充填した。２２部のエチレンオキシドを数時間に亘って加えた。反応を室温で２４時間保持した後、容器に０．２部のＮａＯＨを充填し、１２５℃に加熱した。次いで、４０部のエチレンオキシドを約１時間に亘って加えた。反応を１２５℃でさらに３時間続けた後、残留するＥＯを真空によって除去した。次いで、これを室温に冷却し、得られた中間体はこはく色の粘稠液体であった。ＥＯの一定の平均数は、合成におけるエチレンオキシドの量を制御することによって毎回達成することができた。
【０１８１】
アルコキシル化のための一般手順−方法Ｂ：
【化２６】
2015500888.tif 000068
【０１８２】
１８部のアニリン、６０部のモノ−ブロモ−ポリエチレングリコール−２００、２０部のＮａＨＣＯ3および５０部のトルエンを、２００ｍＬの丸底フラスコ中に室温で充填した。反応混合物を、８０℃に５時間加熱した。塩を濾過し、溶媒を低圧蒸留によって濾液から除去した。粗生成物を、次のステップのためにさらなる精製をせずに使用した。
【化２７】
2015500888.tif 000069
【０１８３】
上記のこの同じ手順を使用してハロゲン化生成物を直接作製するために、モノ−ブロモ−モノ−クロログリコールを使用することもまた可能である。
【０１８４】
色合成のための一般手順
同じ一般手順に従って、全ての色を調製した。
【０１８５】
例１のための色の中間体の合成
【化２８】
2015500888.tif 000070
【０１８６】
２部のアミノ−チオフェン、および３０部のリン酸を、２００ｍＬのガラス製フラスコ中に充填し、０〜５℃に冷却した。１部のＮａＮＯ2を、１０℃未満の温度に維持しながら、固体としてゆっくりと加えた。ジアゾ化のために添加が完了したとき、混合物を３０分間撹拌し、０．３部のスルファミン酸を加えることによって過剰な亜硝酸ナトリウムを消費させた。ヨウ素デンプン紙がマイナスの結果を生じるまで十分なスルファミン酸を加えた。５部のｍ−トルイジンエトキシレートカップラーを、１００ｍＬの水と共にフラスコに加え、温度を５Ｃに低下させた。調製したジアゾニウム塩溶液を、カップリング反応のために上記の溶液中にゆっくりと加えた。温度が１０℃超に上がらないように注意した。ジアゾニウム塩溶液を完全に加えた後、反応物を１時間に亘り室温にゆっくりと到達させた。次いで、混合物を水酸化ナトリウムで中和し、相分離した。次いで、生成物層をメタノールに溶解し、濾過し、過剰な塩を除去した。濾液を蒸発させたが、この反応の生成物はこの時点で使用することができる。
【０１８７】
色への無水物の添加
例１
【化２９】
2015500888.tif 000071
【０１８８】
２５部のチオフェンアゾポリマー着色剤に、８部の無水コハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１８９】
例３
【化３０】
2015500888.tif 000072
【０１９０】
２５部のチオフェンアゾポリマー着色剤に、８部の無水コハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１９１】
例４
【化３１】
2015500888.tif 000073
【０１９２】
２５部のチオフェンアゾポリマー着色剤に、８部の無水マレイン酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１９３】
例５
【化３２】
2015500888.tif 000074
【０１９４】
２５部のチオフェンアゾポリマー着色剤に、８部の無水フタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１９５】
例７
【化３３】
2015500888.tif 000075
【０１９６】
２５部のチオフェンアゾポリマー着色剤に、８部の無水ヘキサヒドロフタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１９７】
例６
【化３４】
2015500888.tif 000076
【０１９８】
２５部のチオフェンアゾポリマー着色剤に、８部の無水アリルコハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０１９９】
例８
【化３５】
2015500888.tif 000077
【０２００】
２５部のチオフェンアゾポリマー着色剤に、８部の無水オクチルコハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２０１】
例１０
【化３６】
2015500888.tif 000078
【０２０２】
２５部のチオフェンアゾポリマー着色剤に、８部の無水コハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２０３】
例１１
【化３７】
2015500888.tif 000079
【０２０４】
２５部のチオフェンアゾポリマー着色剤に、８部の無水マレイン酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２０５】
例１２
【化３８】
2015500888.tif 000080
【０２０６】
２５部のチオフェンアゾポリマー着色剤に、８部の無水フタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２０７】
例１４
【化３９】
2015500888.tif 000081
【０２０８】
２５部のチオフェンアゾポリマー着色剤に、８部の無水ヘキサヒドロフタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２０９】
例１３
【化４０】
2015500888.tif 000082
【０２１０】
２５部のチオフェンアゾポリマー着色剤に、８部の無水アリルコハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２１１】
例１５
【化４１】
2015500888.tif 000083
【０２１２】
２５部のチオフェンアゾポリマー着色剤に、８部の無水オクチルコハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２１３】
例１７
【化４２】
2015500888.tif 000084
【０２１４】
２５部のチオフェンアゾポリマー着色剤に、８部の無水コハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２１５】
例１８
【化４３】
2015500888.tif 000085
【０２１６】
２５部のチオフェンアゾポリマー着色剤に、８部の無水マレイン酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２１７】
例１９
【化４４】
2015500888.tif 000086
【０２１８】
２５部のチオフェンアゾポリマー着色剤に、８部の無水フタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２１９】
例２１
【化４５】
2015500888.tif 000087
【０２２０】
２５部のチオフェンアゾポリマー着色剤に、８部の無水ヘキサヒドロフタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２２１】
例２４
【化４６】
2015500888.tif 000088
【０２２２】
２５部のチオフェンアゾポリマー着色剤に、８部の無水コハク酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２２３】
例２５
【化４７】
2015500888.tif 000089
【０２２４】
２５部のチオフェンアゾポリマー着色剤に、８部の無水マレイン酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２２５】
例３４
【化４８】
2015500888.tif 000090
【０２２６】
２５部のチオフェンアゾポリマー着色剤に、８部の無水フタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２２７】
例４４
【化４９】
2015500888.tif 000091
【０２２８】
２５部のチオフェンアゾポリマー着色剤に、８部の無水ヘキサヒドロフタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２２９】
例４５
【化５０】
2015500888.tif 000092
【０２３０】
２５部のチオフェンアゾポリマー着色剤に、１６部の無水ヘキサヒドロフタル酸を加える。反応物を８５℃に１２時間加熱し、次いで室温に冷却する。水酸化ナトリウムを使用して混合物のｐＨを７に調節し、水をロータリーエバポレーションによって混合物から除去する。所望の生成物を、ＨＰＬＣによって評価して定量的変換で得る。
【０２３１】
Ｂ．試験法
Ｉ．吸光係数を決定するための方法
色の０．１０００グラムの試料を、１００ｍＬのメスフラスコ中でメタノールを使用して所定容量に希釈する。２ｍＬのこの溶液を第２の１００ｍＬのメスフラスコに移し、メタノールで所定容量に希釈する。希釈した着色剤の吸光度およびλ最大を、１ｃｍのセルにおいて分光光度計を使用して測定する。
【０２３２】
λ最大値は、スペクトルから直接得る。
【０２３３】
吸光係数＝（（吸光度／使用した質量）×５）／着色剤のＭＷ
例示的な洗剤配合物
配合物１ａ〜１ｌ：液体洗剤配合物
表７Ａおよび７Ｂは、色相剤として少なくとも１種の本発明のチオフェンアゾ色素を含む液体洗剤配合物の例を提供する。配合物は、表７Ａにおいて配合物１ａ〜１ｆとして、および表７Ｂにおいて配合物１ｇ〜１ｌとして示す。
【表７−１】
2015500888.tif 000093
【０２３４】
【表７−２】
2015500888.tif 000094
【０２３５】
【表８−１】
2015500888.tif 000095
【０２３６】
【表８−２】
2015500888.tif 000096
【０２３７】
配合物２ａ〜２ｅ：顆粒状洗剤配合物
表８は、色相剤として少なくとも１種の本発明のチオフェンアゾカルボキシレート色素を含む顆粒状洗剤配合物の例を提供する。配合物を、表８において配合物２ａ〜２ｅとして示す。
【表９】
2015500888.tif 000097
【０２３８】
［例示的な布帛ケア組成物］
配合物３ａ〜３ｄ：液体布帛ケア組成物
表９は、色相剤として少なくとも１種の本発明のチオフェンアゾカルボキシレート色素を含む液体布帛ケア組成物の例を提供する。組成物は、表９において配合物３ａ〜３ｄとして示す。
【表１０】
2015500888.tif 000098
【０２３９】
本明細書において開示されている寸法および値は、列挙した正確な数値に厳密に制限されるとは理解されない。代わりに、他に特定しない限り、それぞれのこのような寸法は、列挙した値とその値の周囲の機能的に等しい範囲の両方を意味することを意図する。例えば、「４０ｍｍ」として開示されている寸法は、「約４０ｍｍ」を意味することを意図する。
【０２４０】
発明の詳細な説明において引用されている全ての文献は、関連する部分において、参照により本明細書中に組み込まれている。任意の文献の引用は、引用が本発明に関して従来技術であることを認めているとは解釈しない。この文献において、ある用語の任意の意味または定義が、参照により組み込まれている文献における同じ用語の任意の意味または定義と対立する限りにおいて、この文献においてその用語に割り当てられた意味または定義が優先するものとする。
【０２４１】
本発明の特定の側面を例示および記載してきた一方、本発明の精神および範囲から逸脱することなく様々な他の変更および改変を行うことができることは当業者には明らかであろう。したがって、添付の特許請求の範囲において、本発明の範囲内である全てのこのような変更および改変が包含されることを意図する。
【国際調査報告】
2015500888.tif 000120
2015500888.tif 000121
2015500888.tif 000122